(57)【要約】【課題】従来技術においては、活物質の脱落の可能性の低減が望まれる。【解決手段】電池は、第１電極層と、前記第１電極層に積層され、前記第１電極層の対極である第２電極層と、を備え、前記第１電極層は、第１集電体と、第１活物質層と、第１固体電解質層と、を備え、前記第１活物質層は、前記第１集電体と接して、前記第１集電体よりも狭い範囲に、配置され、前記第１固体電解質層は、前記第１集電体および前記第１活物質層と接して、前記第１集電体と同じ範囲に、配置され、前記第１活物質層は、前記第１固体電解質層を介して、前記第２電極層と対向し、前記第１電極層の外周部分に、第１丸み部分が設けられる。【選択図】図１
2018195573.tif 000002
【特許請求の範囲】
【請求項１】
第１電極層と、
前記第１電極層に積層され、前記第１電極層の対極である第２電極層と、
を備え、
前記第１電極層は、第１集電体と、第１活物質層と、第１固体電解質層と、を備え、
前記第１活物質層は、前記第１集電体と接して、前記第１集電体よりも狭い範囲に、配置され、
前記第１固体電解質層は、前記第１集電体および前記第１活物質層と接して、前記第１集電体と同じ範囲に、配置され、
前記第１活物質層は、前記第１固体電解質層を介して、前記第２電極層と対向し、
前記第１電極層の外周部分に、第１丸み部分が設けられる、
電池。
【請求項２】
前記第１電極層の形状は、角部分を有する形状であり、
前記第１電極層の前記角部分に、前記第１丸み部分が設けられる、
請求項１に記載の電池。
【請求項３】
前記第１電極層の形状は、複数の角部分を有する多角形形状であり、
複数の前記角部分の全てに、前記第１丸み部分が設けられる、
請求項２に記載の電池。
【請求項４】
前記第１電極層の形状は、円形状である、
請求項１に記載の電池。
【請求項５】
前記第２電極層は、第２集電体と、第２活物質層と、第２固体電解質層と、を備え、
前記第２活物質層は、前記第２集電体と接して、前記第２集電体よりも狭い範囲に、配置され、
前記第２固体電解質層は、前記第２集電体および前記第２活物質層と接して、前記第２集電体と同じ範囲に、配置され、
前記第２活物質層は、前記第１固体電解質層と前記第２固体電解質層を介して、前記第１活物質層と対向し、
前記第１固体電解質層と前記第２固体電解質層とは、互いに接合され、
前記第２電極層の外周部分に、第２丸み部分が設けられる、
請求項１から４のいずれかに記載の電池。
【請求項６】
前記第２電極層の形状は、角部分を有する形状であり、
前記第２電極層の前記角部分に、前記第２丸み部分が設けられる、
請求項５に記載の電池。
【請求項７】
前記第２電極層の形状は、複数の角部分を有する多角形形状であり、
複数の前記角部分の全てに、前記第２丸み部分が設けられる、
請求項６に記載の電池。
【請求項８】
前記第２電極層の形状は、円形状である、
請求項５に記載の電池。
【請求項９】
前記第１丸み部分と前記第２丸み部分とは、互いに同じ形状であり、
前記第１電極層と前記第２電極層とは、前記第１丸み部分の端部と前記第２丸み部分の端部とが一致する状態で、互いに積層される、
請求項５から８のいずれかに記載の電池。
【請求項１０】
前記第１電極層と前記第２電極層とは、互いに同じ形状であり、
前記第１電極層と前記第２電極層とは、前記第１電極層の端部と前記第２電極層の端部とが一致する状態で、互いに積層される、
請求項９に記載の電池。
【請求項１１】
前記第２電極層は、第２集電体と、第２活物質層と、を備え、
前記第２活物質層は、前記第２集電体と接して、前記第２集電体よりも狭い範囲に、配置され、
前記第１固体電解質層は、前記第２集電体および前記第２活物質層と接して、前記第２集電体と同じ範囲に、配置され、
前記第２活物質層は、前記第１固体電解質層を介して、前記第１活物質層と対向し、
前記第２集電体の外周部分に、第２丸み部分が設けられ、
前記第１丸み部分と前記第２丸み部分とは、互いに同じ形状であり、
前記第１電極層と前記第２電極層とは、前記第１丸み部分の端部と前記第２丸み部分の端部とが一致する状態で、互いに積層される、
請求項１から４のいずれかに記載の電池。
【請求項１２】
前記第１電極層と前記第２電極層とは、互いに同じ形状であり、
前記第１電極層と前記第２電極層とは、前記第１電極層の端部と前記第２電極層の端部とが一致する状態で、互いに積層される、
請求項１１に記載の電池。
【請求項１３】
前記第１電極層の形状と前記第２電極層の形状は、円形状である、
請求項１２に記載の電池。
【請求項１４】
前記第１活物質層は、前記第２活物質層よりも広い範囲に、配置され、
前記第２活物質層は、前記第１活物質層の形成範囲内に、配置される、
請求項５から１３のいずれかに記載の電池。
【請求項１５】
前記第１電極層に積層され、前記第１電極層の対極である第３電極層をさらに備え、
前記第３電極層は、第３集電体と、第３活物質層と、第３固体電解質層と、を備え、
前記第１集電体と前記第３集電体とは、互いに、電気的に接続され、
前記第３活物質層は、前記第３集電体と接して、前記第３集電体よりも狭い範囲に、配置され、
前記第３固体電解質層は、前記第３集電体および前記第３活物質層と接して、前記第３集電体と同じ範囲に、配置され、
前記第３電極層の外周部分に、第３丸み部分が設けられ、
前記第１丸み部分と前記第３丸み部分とは、互いに同じ形状であり、
前記第１電極層と前記第３電極層とは、前記第１丸み部分の端部と前記第３丸み部分の端部とが一致する状態で、互いに積層される、
請求項１から１４のいずれかに記載の電池。
【請求項１６】
前記第１電極層と前記第３電極層とは、互いに同じ形状であり、
前記第１電極層と前記第３電極層とは、前記第１電極層の端部と前記第３電極層の端部とが一致する状態で、互いに積層される、
請求項１５に記載の電池。
【請求項１７】
前記第１電極層に積層され、前記第１電極層の対極である第３電極層をさらに備え、
前記第３電極層は、第３活物質層と、第３固体電解質層と、を備え、
前記第３活物質層は、前記第１集電体と接して、前記第１集電体よりも狭い範囲に、配置され、
前記第３固体電解質層は、前記第１集電体および前記第３活物質層と接して、前記第１集電体と同じ範囲に、配置され、
前記第３電極層の外周部分に、第３丸み部分が設けられ、
前記第１丸み部分と前記第３丸み部分とは、互いに同じ形状であり、
前記第１電極層と前記第３電極層とは、前記第１丸み部分の端部と前記第３丸み部分の端部とが一致する状態で、互いに積層される、
請求項１から１４のいずれかに記載の電池。
【発明の詳細な説明】
【技術分野】
【０００１】
本開示は、電池に関する。
【背景技術】
【０００２】
特許文献１には、集電体と正極と固体電解質と負極とをほぼ同じ円形の薄板状の形状とした電池が、開示されている。
【０００３】
特許文献２には、正極集電体の端部と正極活物質層の端部とが固体電解質層で覆われたコイン型の電池が、開示されている。
【０００４】
特許文献３には、正極と負極および電解質層のコーナ部にアールを設けた電池が、開示されている。
【先行技術文献】
【特許文献】
【０００５】
【特許文献１】特開２０１０−０５６０６７号公報
【特許文献２】特開２０１３−２２９３１５号公報
【特許文献３】特開２０００−１４９９９４号公報
【発明の概要】
【発明が解決しようとする課題】
【０００６】
従来技術においては、活物質の脱落の可能性の低減が望まれる。
【課題を解決するための手段】
【０００７】
本開示の一様態における電池は、第１電極層と、前記第１電極層に積層され、前記第１電極層の対極である第２電極層と、を備え、前記第１電極層は、第１集電体と、第１活物質層と、第１固体電解質層と、を備え、前記第１活物質層は、前記第１集電体と接して、前記第１集電体よりも狭い範囲に、配置され、前記第１固体電解質層は、前記第１集電体および前記第１活物質層と接して、前記第１集電体と同じ範囲に、配置され、前記第１活物質層は、前記第１固体電解質層を介して、前記第２電極層と対向し、前記第１電極層の外周部分に、第１丸み部分が設けられる。
【発明の効果】
【０００８】
本開示によれば、活物質の脱落の可能性を低減できる。
【図面の簡単な説明】
【０００９】
【図１】図１は、実施の形態１における電池１０００の概略構成を示す図である。
【図２】図２は、実施の形態１における電池１１００の概略構成を示す図である。
【図３】図３は、実施の形態１における電池１２００の概略構成を示す図である。
【図４】図４は、実施の形態１における電池１３００の概略構成を示す図である。
【図５】図５は、第１集電体１１０および第１活物質層１２０の形状の他の例を示すｘ−ｙ図（上面透視図）である。
【図６】図６は、実施の形態１における電池１４００の概略構成を示す図である。
【図７】図７は、実施の形態１における電池１５００の概略構成を示す図である。
【図８】図８は、実施の形態１における電池１６００の概略構成を示す図である。
【図９】図９は、実施の形態１における電池１７００の概略構成を示す図である。
【図１０】図１０は、実施の形態２における電池２０００の概略構成を示す図である。
【図１１】図１１は、実施の形態２における電池２１００の概略構成を示す図である。
【図１２】図１２は、実施の形態２における電池２２００の概略構成を示す図である。
【図１３】図１３は、実施の形態２における電池２３００の概略構成を示す図である。
【図１４】図１４は、実施の形態３における電池３０００の概略構成を示す図である。
【図１５】図１５は、実施の形態３における電池３１００の概略構成を示す図である。
【図１６】図１６は、実施の形態３における電池３２００の概略構成を示す図である。
【図１７】図１７は、実施の形態４における電池４０００の概略構成を示す図である。
【図１８】図１８は、実施の形態４における電池４１００の概略構成を示すｘ−ｚ図（断面図）である。
【図１９】図１９は、実施の形態４における電池４２００の概略構成を示すｘ−ｚ図（断面図）である。
【図２０】図２０は、実施の形態５における電池５０００の概略構成を示す図である。
【図２１】図２１は、実施の形態５における電池５１００の概略構成を示すｘ−ｚ図（断面図）である。
【図２２】図２２は、実施の形態５における電池５２００の概略構成を示すｘ−ｚ図（断面図）である。
【図２３】図２３は、実施の形態６における電池製造装置６０００の概略構成を示す図である。
【図２４】図２４は、実施の形態６における電池製造方法を示すフローチャートである。
【図２５】図２５は、第１活物質層形成工程Ｓ１１１０と第１固体電解質層形成工程Ｓ１１２０の一例を示す図である。
【図２６】図２６は、第２活物質層形成工程Ｓ１２１０と第２固体電解質層形成工程Ｓ１２２０の一例を示す図である。
【図２７】図２７は、積層工程Ｓ１３１０の一例を示す図である。
【図２８】図２８は、実施の形態６における電池製造方法の変形例を示すフローチャートである。
【図２９】図２９は、実施の形態６における電池製造装置６１００の概略構成を示す図である。
【図３０】図３０は、実施の形態６における電池製造方法の変形例を示すフローチャートである。
【図３１】図３１は、第１固体電解質層形成工程Ｓ１１２１と第１電極側切断工程Ｓ１１２２の一例を示す図である。
【図３２】図３２は、第２固体電解質層形成工程Ｓ１２２１と第２電極側切断工程Ｓ１２２２の一例を示す図である。
【図３３】図３３は、実施の形態７における電池製造装置７０００の概略構成を示す図である。
【図３４】図３４は、実施の形態７における電池製造方法を示すフローチャートである。
【図３５】図３５は、第１活物質層形成工程Ｓ２１１０と第１固体電解質層形成工程Ｓ２１２０の一例を示す図である。
【図３６】図３６は、第２活物質層形成工程Ｓ２２１０と第２固体電解質層形成工程Ｓ２２２０の一例を示す図である。
【図３７】図３７は、積層工程Ｓ２３１０の一例を示す図である。
【図３８】図３８は、切断工程Ｓ２５１０の一例を示す図である。
【図３９】図３９は、実施の形態７における電池製造方法の変形例を示すフローチャートである。
【発明を実施するための形態】
【００１０】
以下、本開示の実施の形態が、図面を参照しながら、説明される。
【００１１】
（実施の形態１）
図１は、実施の形態１における電池１０００の概略構成を示す図である。
【００１２】
図１（ａ）は、実施の形態１における電池１０００の概略構成を示すｘ−ｚ図（１Ａ断面図）である。
【００１３】
図１（ｂ）は、実施の形態１における電池１０００の概略構成を示すｘ−ｙ図（上面透視図）である。
【００１４】
実施の形態１における電池１０００は、第１電極層１００と、第２電極層２００と、を備える。
【００１５】
第２電極層２００は、第１電極層１００に積層される。第２電極層２００は、第１電極層１００の対極となる層である。
【００１６】
第１電極層１００は、第１集電体１１０と、第１活物質層１２０と、第１固体電解質層１３０と、を備える。
【００１７】
第１活物質層１２０は、第１集電体１１０と接して、第１集電体１１０よりも狭い範囲に、配置される。
【００１８】
第１固体電解質層１３０は、第１集電体１１０および第１活物質層１２０と接して、第１集電体１１０と同じ範囲に、配置される。
【００１９】
第１活物質層１２０は、第１固体電解質層１３０を介して、第２電極層２００と対向する。
【００２０】
第１電極層１００の外周部分に、第１丸み部分１４０が設けられる。
【００２１】
以上の構成によれば、活物質の脱落の可能性を低減できる。すなわち、第１丸み部分１４０が設けられた外周部分を有する第１電極層１００を用いることで、第１集電体１１０と第１固体電解質層１３０との積層体の第１丸み部分１４０が設けられた外周部分における、応力の集中を低減できる（例えば、衝撃力を分散できる）。これにより、第１丸み部分１４０が設けられた外周部分における、第１固体電解質層１３０の第１集電体１１０からの乖離（または、第１集電体１１０からの固体電解質の崩落）の可能性を低減できる。このため、第１集電体１１０から剥がれ難い第１固体電解質層１３０により、第１活物質層１２０を覆うことができる。これにより、例えば、電池の製造時および使用時などにおける角当ての衝撃が加わる場合であっても、第１固体電解質層１３０により、第１活物質層１２０に伝わるダメージを低減できる。言い換えれば、第１固体電解質層１３０により、第１活物質層１２０から活物質が脱落する可能性を低減できる。このため、第１活物質層１２０から脱落した活物質が電池内部を移動することに起因して生じうる、電池内部の短絡を防止できる。これにより、電池の信頼性を向上させることができる。
【００２２】
また、以上の構成によれば、第１集電体１１０から剥がれ難い第１固体電解質層１３０により第１活物質層１２０が覆われることで、第１活物質層１２０を第１集電体１１０の外周部分に近づけて配置しても、第１活物質層１２０からの活物質の脱落を防止できる。このため、第１集電体１１０よりも狭い範囲内で可能な限り大きい範囲に、第１活物質層１２０を配置できる。これにより、電池のエネルギー密度を高めることができる。
【００２３】
なお、本開示において、「固体電解質層は、集電体と、同じ範囲に、配置される」とは、「固体電解質層は、集電体と、製造する上で不可避的に生じる誤差を除いて実質的に同じ範囲に、配置される」（例えば、固体電解質層は、製造する上で不可避的に生じる誤差を除いて、集電体と実質的に同じ形状となるように配置される）ことを意味する。
【００２４】
なお、図１に示されるように、第２電極層２００は、第２集電体２１０と、第２活物質層２２０と、第２固体電解質層２３０と、を備えてもよい。
【００２５】
第２活物質層２２０は、第２集電体２１０と接して、配置される層である。
【００２６】
第２固体電解質層２３０は、第２活物質層２２０と接して、配置される層である。
【００２７】
第２活物質層２２０は、第１固体電解質層１３０と第２固体電解質層２３０を介して、第１活物質層１２０と対向する。
【００２８】
以上の構成によれば、第１集電体１１０と第２集電体２１０とが接触する可能性を低減できる。すなわち、第１集電体１１０と第２集電体２１０との対向部分が、第１固体電解質層１３０と第２固体電解質層２３０とにより、固定化できる。例えば、第１集電体１１０と第２集電体２１０とが薄膜で構成されていても、第１固体電解質層１３０と第２固体電解質層２３０とにより、第１集電体１１０と第２集電体２１０との間隔を、一定の距離以上（例えば、第１固体電解質層１３０と第２固体電解質層２３０との厚み以上）に、維持できる。したがって、第１集電体１１０と第２集電体２１０とが、互いに近接することを回避できる。これにより、例えば、電池セルを複数積層する場合であっても、第１集電体１１０と第２集電体２１０の変形を防止できる。したがって、例えば、電池セルを複数積層する場合であっても、第１集電体１１０と第２集電体２１０との間の短絡を防止できる。また、例えば、第１電極層１００と第２電極層２００との間にセパレータを備えない全固体電池においても、第１集電体１１０と第２集電体２１０とが直接接触して短絡するリスクを低減できる。
【００２９】
さらに、以上の構成によれば、第１電極層１００と第２電極層２００とを絶縁するための別部材（例えば、絶縁スペーサー）が不要となる。これにより、電池の製造工程を、より簡便化かつ低コスト化できる。
【００３０】
なお、第１固体電解質層１３０と第２固体電解質層２３０とは、互いに接合されてもよい。
【００３１】
以上の構成によれば、第１固体電解質層１３０と第２固体電解質層２３０とが接合してなる固体電解質層を備えることで、例えば製造時において第１固体電解質層１３０と第２固体電解質層２３０とに生じうるピンホールによる短絡の可能性を、低減することができる。より具体的には、第１活物質層１２０と第２活物質層２２０とが対向する領域に、第１固体電解質層１３０と第２固体電解質層２３０とが互いに接合されてなる接合界面を設けることができる。このとき、互いに異なる製造工程で形成される第１固体電解質層１３０と第２固体電解質層２３０においては、第１固体電解質層１３０に生じるピンホールの位置と、第２固体電解質層２３０に生じるピンホールの位置とは、互いに同一とはならない。このため、第１固体電解質層１３０に生じるピンホールは、当該接合界面において、第２固体電解質層２３０により塞がれる。また、第２固体電解質層２３０に生じるピンホールは、当該接合界面において、第１固体電解質層１３０により塞がれる。これにより、固体電解質層に生じうるピンホールによる短絡の可能性を、低減することができる。
【００３２】
なお、図１に示されるように、第１固体電解質層１３０の主面の一部の領域（例えば、主面の半分以上の領域）と第２固体電解質層２３０の主面の全領域とが、互いに接合されてもよい。もしくは、第１固体電解質層１３０の主面の一部の領域（例えば、主面の半分以上の領域）と第２固体電解質層２３０の主面の一部の領域（例えば、主面の半分以上の領域）とが、互いに接合されてもよい。もしくは、第１固体電解質層１３０の主面の全領域と第２固体電解質層２３０の主面の全領域とが、互いに接合されてもよい。
【００３３】
第１活物質層１２０は、電極材料（例えば、活物質）を含む層である。
【００３４】
第２活物質層２２０は、対極材料（例えば、活物質）を含む層である。対極材料は、電極材料の対極を構成する材料である。
【００３５】
第１固体電解質層１３０と第２固体電解質層２３０は、固体電解質を含む固体電解質層である。
【００３６】
なお、第１活物質層１２０は負極活物質層であってもよい。このとき、電極材料は負極活物質である。第１集電体１１０は負極集電体である。第１固体電解質層１３０は負極側固体電解質層である。第２活物質層２２０は正極活物質層である。対極材料は正極活物質である。第２集電体２１０は正極集電体である。第２固体電解質層２３０は正極側固体電解質層である。
【００３７】
もしくは、第１活物質層１２０は正極活物質層であってもよい。このとき、電極材料は正極活物質である。第１集電体１１０は正極集電体である。第１固体電解質層１３０は正極側固体電解質層である。第２活物質層２２０は負極活物質層である。対極材料は負極活物質である。第２集電体２１０は負極集電体である。第２固体電解質層２３０は負極側固体電解質層である。
【００３８】
正極集電体として、一般に公知の正極集電体が用いられうる。正極集電体は、例えば、金属箔などであってもよい。正極集電体の材料としては、例えば、アルミニウム、銅、ステンレス、ニッケル、白金、金、またはこれらを含む合金、など、が用いられうる。
【００３９】
正極活物質層は、正極活物質を含む層である。
【００４０】
正極活物質として、一般に公知の正極活物質が用いられうる。実施の形態１の電池１０００がリチウムイオン二次電池（蓄電池）として構成される場合には、正極活物質は、Ｌｉを吸蔵および放出する特性を有する化合物であってもよい。例えば、正極活物質は、リチウムを含む化合物であってもよい。例えば、正極活物質として、ＬｉＣｏＯ２、ＬｉＮｉＯ２、ＬｉＭｎ２Ｏ４、ＬｉＣｏＰＯ４、ＬｉＭｎＰＯ４、ＬｉＦｅＰＯ４、ＬｉＮｉＰＯ４、これらの化合物の遷移金属を１又は２の異種元素で置換することによって得られる化合物（例えば、ＬｉＮｉ１／３Ｃｏ１／３Ｍｎ１／３Ｏ２、ＬｉＮｉ０．８Ｃｏ０．１５Ａｌ０．０５Ｏ２、ＬｉＮｉ０．５Ｍｎ１．５Ｏ２、など）、など、が用いられうる。
【００４１】
なお、正極活物質層は、正極活物質と他の材料とを含む、正極合剤層であってもよい。すなわち、正極活物質層は、正極活物質と固体電解質との混合物を含む層であってもよい。もしくは、正極活物質層は、正極活物質と固体電解質とともに、導電助剤または結着剤などを含んでもよい。
【００４２】
また、正極活物質層は、複数の層から構成されてもよい。例えば、正極活物質層は、正極集電体に接する側に第１層を備えてもよい。このとき、正極活物質層は、正極側固体電解質層に接する側に第２層を備えてもよい。このとき、当該第１層と当該第２層とは、互いに異なる構成（形状、厚み、含有材料）の層であってもよい。
【００４３】
正極側固体電解質層は、正極側固体電解質を含む層である。
【００４４】
正極側固体電解質として、一般に公知の固体電解質が用いられうる。実施の形態１の電池１０００がリチウムイオン二次電池（蓄電池）として構成される場合には、固体電解質はリチウムを含む化合物であってもよい。例えば、固体電解質として、Ｌｉ３Ｚｒ２Ｓｉ２ＰＯ１２、Ｌｉ７Ｌａ３Ｚｒ２Ｏ１２、Ｌｉ５Ｌａ３Ｔａ２Ｏ１２、Ｌｉ１＋ｘＡｌｘＴｉ２−ｘ（ＰＯ４）３、Ｌｉ１．５Ｔｉ１．７Ａｌ０．８Ｐ２．８Ｓｉ０．２Ｏ１２、Ｌａ２／３−ｘＬｉ３ｘＴｉＯ３、Ｌｉ２Ｓ−ＳｉＳ２系ガラスおよびガラスセラミックス、Ｌｉ２Ｓ−Ｂ２Ｓ３系ガラスおよびガラスセラミックス、Ｌｉ２Ｓ−Ｐ２Ｓ５系ガラスおよびガラスセラミックス、Ｌｉ３．２５Ｇｅ０．２５Ｐ０．７５Ｓ４、Ｌｉ１０ＧｅＰ２Ｓ１２、など、が用いられうる。また、固体電解質として、これらに、ＬｉＩ、ＬｉｘＭＯｙ（Ｍ：Ｐ、Ｓｉ、Ｇｅ、Ｂ、Ａｌ、Ｇａ又はＩｎ、ｘ、ｙ：自然数）などを添加剤として加えたものが用いられうる。固体電解質として、無機系固体電解質（硫化物系固体電解質、または、酸化物系固体電解質）、または、高分子固体電解質（例えば、ポリエチレンオキシドにリチウム塩を溶解させたもの）が用いられうる。
【００４５】
正極側固体電解質層には、ポリマー電解質、または、無機固体電解質と結着剤の混合物からなるものが用いられうる。正極側固体電解質層と正極活物質層とに用いられる固体電解質の材料および結着剤の材料は、それぞれ同じ材料であってもよい。
【００４６】
負極集電体として、一般に公知の負極集電体が用いられうる。負極集電体は、例えば、金属箔などであってもよい。負極集電体としては、例えば、アルミニウム、銅、ステンレス、ニッケル、白金、金、またはこれらを含む合金、など、が用いられうる。
【００４７】
負極活物質層は、負極活物質を含む層である。
【００４８】
負極活物質として、一般に公知の負極活物質が用いられうる。実施の形態１の電池１０００がリチウムイオン二次電池（蓄電池）として構成される場合には、負極活物質は、Ｌｉを吸蔵および放出する特性を有する化合物であってもよい。例えば、負極活物質は、金属化合物、または、炭素材料であってもよい。例えば、負極活物質として、金属インジウム、金属リチウム、炭素材料（例えば、黒鉛、ハードカーボン、など）、Ｌｉ４Ｔｉ５Ｏ１２、Ｓｉ、ＳｉＯ、Ｓｎ、ＳｎＯ、など、が用いられうる。
【００４９】
なお、負極活物質層は、負極活物質と他の材料とを含む、負極合剤層であってもよい。すなわち、負極活物質層は、負極活物質と固体電解質との混合物を含む層であってもよい。もしくは、負極活物質層は、負極活物質と固体電解質とともに、導電助剤または結着剤などを含んでもよい。なお、負極活物質層を、リチウムと合金化する金属を箔状で構成する場合には、固体電解質などは混合されなくてもよい。
【００５０】
負極側固体電解質層は、負極側固体電解質を含む層である。
【００５１】
また、負極活物質層は、複数の層から構成されてもよい。例えば、負極活物質層は、負極集電体に接する側に第１層を備えてもよい。このとき、負極活物質層は、負極側固体電解質層に接する側に第２層を備えてもよい。このとき、当該第１層と当該第２層とは、互いに異なる構成（形状、厚み、含有材料）の層であってもよい。
【００５２】
負極側固体電解質として、一般に公知の固体電解質が用いられうる。負極側固体電解質として、上述の正極側固体電解質として用いられうる材料が、用いられうる。
【００５３】
負極側固体電解質層には、ポリマー電解質、または、無機固体電解質と結着剤の混合物からなるものが用いられうる。負極側固体電解質層と負極活物質層とに用いられる固体電解質の材料および結着剤の材料は、それぞれ同じ材料であってもよい。
【００５４】
導電助剤としては、炭素材料（例えば、アセチレンブラック、ケッチェンブラック、カーボンナノチューブ、など）、または、金属粉、など、が用いられうる。
【００５５】
結着剤としては、一般に公知の高分子化合物が用いられうる。例えば、結着剤としては、ポリフッ化ビニリデン（ＰＶＤＦ）、ポリフッ化ビニリデンーヘキサフルオロプロピレン（ＰＶＤＦ−ＨＦＰ）、ゴム系樹脂、エラストマー、など、が用いられうる。
【００５６】
なお、正極側固体電解質層と負極側固体電解質層とは、互いに、同じ材料の固体電解質を含んでもよいし、異なる材料の固体電解質を含んでもよい。
【００５７】
また、正極側固体電解質層と負極側固体電解質層とは、互いに、同じ含有量（濃度）で固体電解質を含んでもよいし、異なる含有量（濃度）で固体電解質を含んでもよい。
【００５８】
また、正極側固体電解質層と負極側固体電解質層との厚みは、互いに、同じであってもよいし、異なってもよい。
【００５９】
また、図１に示されるように、負極集電体の全体が、正極集電体と平行に位置してもよい。すなわち、正極集電体と負極集電体との距離は、成膜領域の全域で、一定となってもよい。もしくは、負極集電体の一部が、正極集電体と平行に位置してもよい。
【００６０】
なお、図１に示されるように、第１電極層１００の形状（すなわち、第１集電体１１０と第１固体電解質層１３０の形状）は、角部分を有する形状であってもよい。
【００６１】
このとき、第１電極層１００の角部分に、第１丸み部分１４０が設けられてもよい。
【００６２】
以上の構成によれば、活物質の脱落の可能性を、より低減できる。すなわち、第１集電体１１０と第１固体電解質層１３０との積層体の第１丸み部分１４０が設けられた角部分における、応力の集中を低減できる（例えば、衝撃力を分散できる）。これにより、第１丸み部分１４０が設けられた角部分における、第１固体電解質層１３０の第１集電体１１０からの乖離（または、第１集電体１１０からの固体電解質の崩落）の可能性を低減できる。このため、第１集電体１１０から剥がれ難い第１固体電解質層１３０により、第１活物質層１２０を覆うことができる。これにより、例えば、電池の製造時および使用時などにおける角当ての衝撃が加わる場合であっても、第１固体電解質層１３０により、第１活物質層１２０に伝わるダメージを低減できる。言い換えれば、第１固体電解質層１３０により、第１活物質層１２０から活物質が脱落する可能性を低減できる。このため、第１活物質層１２０から脱落した活物質が電池内部を移動することに起因して生じうる、電池内部の短絡を防止できる。これにより、電池の信頼性を、より向上させることができる。
【００６３】
また、以上の構成によれば、第１集電体１１０から剥がれ難い第１固体電解質層１３０により第１活物質層１２０が覆われることで、第１活物質層１２０を第１集電体１１０の角部分に近づけて配置しても、第１活物質層１２０からの活物質の脱落を防止できる。このため、第１集電体１１０よりも狭い範囲内で可能な限り大きい範囲に、第１活物質層１２０を配置できる。これにより、電池のエネルギー密度を、より高めることができる。
【００６４】
なお、本開示においては、「所定の層の形状」とは、「所定の層の主面方向（ｘ−ｙ平面方向）における形状」の意味を包含する。
【００６５】
図２は、実施の形態１における電池１１００の概略構成を示す図である。
【００６６】
図２（ａ）は、実施の形態１における電池１１００の概略構成を示すｘ−ｚ図（２Ａ断面図）である。
【００６７】
図２（ｂ）は、実施の形態１における電池１１００の概略構成を示すｘ−ｙ図（上面透視図）である。
【００６８】
実施の形態１における電池１１００においては、第１丸み部分１４０は、第１電極層１００の角部分が直線状に切断されてなる部分である。
【００６９】
以上のように、本開示においては、「丸み部分」（例えば、第１丸み部分１４０、第２丸み部分２４０、活物質層の丸み部分）とは、図１に示されるような「曲線状に切断されてなる部分」（すなわち、アールが付けられた部分）の意味と、図２に示されるような「直線状に切断されてなる部分」（すなわち、９０度以上の角度を有する部分）の意味と、を包含する。
【００７０】
図３は、実施の形態１における電池１２００の概略構成を示す図である。
【００７１】
図３（ａ）は、実施の形態１における電池１２００の概略構成を示すｘ−ｚ図（３Ａ断面図）である。
【００７２】
図３（ｂ）は、実施の形態１における電池１２００の概略構成を示すｘ−ｙ図（上面透視図）である。
【００７３】
実施の形態１における電池１２００は、上述の実施の形態１における電池１０００の構成に加えて、下記の構成をさらに備える。
【００７４】
すなわち、実施の形態１における電池１２００においては、第１電極層１００の形状は、複数の角部分を有する多角形形状（例えば、三角形状、四角形状、矩形形状、など）である。
【００７５】
このとき、第１電極層１００が有する複数の角部分の全てに、第１丸み部分１４０が設けられる。例えば、図３に示される例においては、長方形形状である第１電極層１００が有する４つの角部分の全てに、第１丸み部分１４０ａと第１丸み部分１４０ｂと第１丸み部分１４０ｃと第１丸み部分１４０ｄとが設けられる。
【００７６】
以上の構成によれば、活物質の脱落の可能性を、より低減できる。すなわち、第１集電体１１０と第１固体電解質層１３０との積層体の全ての角部分における、応力の集中を低減できる（例えば、衝撃力を分散できる）。これにより、第１丸み部分１４０が設けられた全ての角部分における、第１固体電解質層１３０の第１集電体１１０からの乖離（または、第１集電体１１０からの固体電解質の崩落）の可能性を低減できる。このため、第１集電体１１０から剥がれ難い第１固体電解質層１３０により、第１活物質層１２０を覆うことができる。これにより、例えば、電池の製造時および使用時などにおける角当ての衝撃が加わる場合であっても、第１固体電解質層１３０により、第１活物質層１２０に伝わるダメージを低減できる。言い換えれば、第１固体電解質層１３０により、第１活物質層１２０から活物質が脱落する可能性を低減できる。このため、第１活物質層１２０から脱落した活物質が電池内部を移動することに起因して生じうる、電池内部の短絡を防止できる。これにより、電池の信頼性を、より向上させることができる。
【００７７】
また、以上の構成によれば、第１集電体１１０から剥がれ難い第１固体電解質層１３０により第１活物質層１２０が覆われることで、第１活物質層１２０を第１集電体１１０の全ての角部分に近づけて配置しても、第１活物質層１２０からの活物質の脱落を防止できる。このため、第１集電体１１０よりも狭い範囲内で可能な限り大きい範囲に、第１活物質層１２０を配置できる。これにより、電池のエネルギー密度を、より高めることができる。
【００７８】
また、以上の構成によれば、多角形形状の第１電極層１００を用いることで、実施の形態１における電池を複数並べて配置する際に、より密に配置することができる。すなわち、円形状の第１電極層１００を用いる構成（例えば、コイン型電池）と比較して、多角形形状の第１電極層１００を用いる構成（例えば、角型電池）は、複数電池を平面方向に並べる際の隙間をより少なくできる。これにより、複数の電池を配列させて構成される電池モジュール（または、電池パック）のエネルギー密度を、より高めることができる。
【００７９】
図４は、実施の形態１における電池１３００の概略構成を示す図である。
【００８０】
図４（ａ）は、実施の形態１における電池１３００の概略構成を示すｘ−ｚ図（４Ａ断面図）である。
【００８１】
図４（ｂ）は、実施の形態１における電池１３００の概略構成を示すｘ−ｙ図（上面透視図）である。
【００８２】
実施の形態１における電池１３００は、上述の実施の形態１における電池１２００の構成に加えて、下記の構成をさらに備える。
【００８３】
すなわち、実施の形態１における電池１３００においては、第１活物質層１２０の角部分のうち、第１丸み部分１４０に隣接する角部分には、丸み部分が設けられる。例えば、図４に示される例においては、第１活物質層１２０の角部分のうち、第１丸み部分１４０ａと第１丸み部分１４０ｂと第１丸み部分１４０ｃと第１丸み部分１４０ｄとに隣接する角部分に、丸み部分が設けられる。
【００８４】
以上の構成によれば、活物質の脱落の可能性を、より低減できる。すなわち、第１活物質層１２０の角部分における、応力の集中を低減できる（例えば、衝撃力を分散できる）。これにより、第１丸み部分１４０が設けられた角部分における、第１活物質層１２０の第１集電体１１０からの乖離（または、第１集電体１１０からの第１活物質層１２０の崩落）の可能性を低減できる。
【００８５】
なお、第１活物質層１２０の丸み部分の形状としては、第１丸み部分１４０として示された形状が、用いられうる。
【００８６】
図５は、第１集電体１１０および第１活物質層１２０の形状の他の例を示すｘ−ｙ図（上面透視図）である。
【００８７】
図５（ａ）に示されるように、第１集電体１１０の角部分のうち、対角の関係となる２つの角部分に、第１丸み部分１４０が設けられてもよい。このとき、第１活物質層１２０は、第１集電体１１０と同じ形状であってもよい。
【００８８】
また、図５（ｂ）に示されるように、第１集電体１１０の角部分のうち、互いに隣接する２つの角部分に、第１丸み部分１４０が設けられてもよい。このとき、第１活物質層１２０は、第１集電体１１０と同じ形状であってもよい。
【００８９】
また、図５（ｃ）〜（ｅ）に示されるように、第１集電体１１０の角部分のうち、すべての角部分が直線状に切断されることで、４つの第１丸み部分１４０が設けられてもよい。このとき、図５（ｃ）に示されるように、第１活物質層１２０には、丸み部分は設けられなくてもよい。もしくは、図５（ｄ）に示されるように、第１集電体１１０と同じ形状であってもよい。もしくは、図５（ｅ）に示されるように、第１活物質層１２０には、すべての角部分が曲線状に切断されることで、４つの丸み部分が設けられてもよい。
【００９０】
図６は、実施の形態１における電池１４００の概略構成を示す図である。
【００９１】
図６（ａ）は、実施の形態１における電池１４００の概略構成を示すｘ−ｚ図（６Ａ断面図）である。
【００９２】
図６（ｂ）は、実施の形態１における電池１４００の概略構成を示すｘ−ｙ図（上面透視図）である。
【００９３】
実施の形態１における電池１４００は、上述の実施の形態１における電池１０００の構成に加えて、下記の構成をさらに備える。
【００９４】
すなわち、実施の形態１における電池１４００においては、第２電極層２００は、第２集電体２１０と、第２活物質層２２０と、第２固体電解質層２３０と、をさらに備える。
【００９５】
第２活物質層２２０は、第２集電体２１０と接して、第２集電体２１０よりも狭い範囲に、配置される層である。
【００９６】
第２固体電解質層２３０は、第２集電体２１０および第２活物質層２２０と接して、第２集電体２１０と同じ範囲に、配置される層である。
【００９７】
第２活物質層２２０は、第１固体電解質層１３０と第２固体電解質層２３０を介して、第１活物質層１２０と対向する。
【００９８】
第１固体電解質層１３０と第２固体電解質層２３０とは、互いに接合される。
【００９９】
第２電極層２００の外周部分に、第２丸み部分２４０が設けられる。
【０１００】
以上の構成によれば、活物質の脱落の可能性を、より低減できる。すなわち、第２丸み部分２４０が設けられた外周部分を有する第２電極層２００を用いることで、第２集電体２１０と第２固体電解質層２３０との積層体の第２丸み部分２４０が設けられた外周部分における、応力の集中を低減できる（例えば、衝撃力を分散できる）。これにより、第２丸み部分２４０が設けられた外周部分における、第２固体電解質層２３０の第２集電体２１０からの乖離（または、第２集電体２１０からの固体電解質の崩落）の可能性を低減できる。このため、第２集電体２１０から剥がれ難い第２固体電解質層２３０により、第２活物質層２２０を覆うことができる。これにより、例えば、電池の製造時および使用時などにおける角当ての衝撃が加わる場合であっても、第２固体電解質層２３０により、第２活物質層２２０に伝わるダメージを低減できる。言い換えれば、第２固体電解質層２３０により、第２活物質層２２０から活物質が脱落する可能性を低減できる。このため、第２活物質層２２０から脱落した活物質が電池内部を移動することに起因して生じうる、電池内部の短絡を防止できる。これにより、電池の信頼性を、より向上させることができる。
【０１０１】
また、以上の構成によれば、第２集電体２１０から剥がれ難い第２固体電解質層２３０により第２活物質層２２０が覆われることで、第２活物質層２２０を第２集電体２１０の外周部分に近づけて配置しても、第２活物質層２２０からの活物質の脱落を防止できる。このため、第２集電体２１０よりも狭い範囲内で可能な限り大きい範囲に、第２活物質層２２０を配置できる。これにより、電池のエネルギー密度を、より高めることができる。
【０１０２】
なお、図６に示されるように、第２電極層２００の形状（すなわち、第２集電体２１０と第２固体電解質層２３０の形状）は、角部分を有する形状であってもよい。
【０１０３】
このとき、第２電極層２００の角部分に、第２丸み部分２４０が設けられてもよい。
【０１０４】
以上の構成によれば、活物質の脱落の可能性を、より低減できる。すなわち、第２集電体２１０と第２固体電解質層２３０との積層体の第２丸み部分２４０が設けられた角部分における、応力の集中を低減できる（例えば、衝撃力を分散できる）。これにより、第２丸み部分２４０が設けられた角部分における、第２固体電解質層２３０の第２集電体２１０からの乖離（または、第２集電体２１０からの固体電解質の崩落）の可能性を低減できる。このため、第２集電体２１０から剥がれ難い第２固体電解質層２３０により、第２活物質層２２０を覆うことができる。これにより、例えば、電池の製造時および使用時などにおける角当ての衝撃が加わる場合であっても、第２固体電解質層２３０により、第２活物質層２２０に伝わるダメージを低減できる。言い換えれば、第２固体電解質層２３０により、第２活物質層２２０から活物質が脱落する可能性を低減できる。このため、第２活物質層２２０から脱落した活物質が電池内部を移動することに起因して生じうる、電池内部の短絡を防止できる。これにより、電池の信頼性を、より向上させることができる。
【０１０５】
また、以上の構成によれば、第２集電体２１０から剥がれ難い第２固体電解質層２３０により第２活物質層２２０が覆われることで、第２活物質層２２０を第２集電体２１０の角部分に近づけて配置しても、第２活物質層２２０からの活物質の脱落を防止できる。このため、第２集電体２１０よりも狭い範囲内で可能な限り大きい範囲に、第２活物質層２２０を配置できる。これにより、電池のエネルギー密度を、より高めることができる。
【０１０６】
なお、第２丸み部分２４０の形状としては、第１丸み部分１４０として示された形状が、用いられうる。
【０１０７】
図７は、実施の形態１における電池１５００の概略構成を示す図である。
【０１０８】
図７（ａ）は、実施の形態１における電池１５００の概略構成を示すｘ−ｚ図（７Ａ断面図）である。
【０１０９】
図７（ｂ）は、実施の形態１における電池１５００の概略構成を示すｘ−ｙ図（上面透視図）である。
【０１１０】
実施の形態１における電池１５００は、上述の実施の形態１における電池１２００の構成に加えて、下記の構成をさらに備える。
【０１１１】
すなわち、実施の形態１における電池１５００においては、第２電極層２００の形状は、複数の角部分を有する多角形形状（例えば、三角形状、四角形状、矩形形状、など）である。
【０１１２】
このとき、第２電極層２００が有する複数の角部分の全てに、第２丸み部分２４０が設けられる。例えば、図７に示される例においては、長方形形状である第２電極層２００が有する４つの角部分の全てに、第２丸み部分２４０ａと第２丸み部分２４０ｂと第２丸み部分２４０ｃと第２丸み部分２４０ｄとが設けられる。
【０１１３】
以上の構成によれば、活物質の脱落の可能性を、より低減できる。すなわち、第２集電体２１０と第２固体電解質層２３０との積層体の全ての角部分における、応力の集中を低減できる（例えば、衝撃力を分散できる）。これにより、第２丸み部分２４０が設けられた全ての角部分における、第２固体電解質層２３０の第２集電体２１０からの乖離（または、第２集電体２１０からの固体電解質の崩落）の可能性を低減できる。このため、第２集電体２１０から剥がれ難い第２固体電解質層２３０により、第２活物質層２２０を覆うことができる。これにより、例えば、電池の製造時および使用時などにおける角当ての衝撃が加わる場合であっても、第２固体電解質層２３０により、第２活物質層２２０に伝わるダメージを低減できる。言い換えれば、第２固体電解質層２３０により、第２活物質層２２０から活物質が脱落する可能性を低減できる。このため、第２活物質層２２０から脱落した活物質が電池内部を移動することに起因して生じうる、電池内部の短絡を防止できる。これにより、電池の信頼性を、より向上させることができる。
【０１１４】
また、以上の構成によれば、第２集電体２１０から剥がれ難い第２固体電解質層２３０により第２活物質層２２０が覆われることで、第２活物質層２２０を第２集電体２１０の全ての角部分に近づけて配置しても、第２活物質層２２０からの活物質の脱落を防止できる。このため、第２集電体２１０よりも狭い範囲内で可能な限り大きい範囲に、第２活物質層２２０を配置できる。これにより、電池のエネルギー密度を、より高めることができる。
【０１１５】
また、以上の構成によれば、多角形形状の第２電極層２００を用いることで、実施の形態１における電池を複数並べて配置する際に、より密に配置することができる。すなわち、円形状の第２電極層２００を用いる構成（例えば、コイン型電池）と比較して、多角形形状の第２電極層２００を用いる構成（例えば、角型電池）は、複数電池を平面方向に並べる際の隙間をより少なくできる。これにより、複数の電池を配列させて構成される電池モジュール（または、電池パック）のエネルギー密度を、より高めることができる。
【０１１６】
図８は、実施の形態１における電池１６００の概略構成を示す図である。
【０１１７】
図８（ａ）は、実施の形態１における電池１６００の概略構成を示すｘ−ｚ図（８Ａ断面図）である。
【０１１８】
図８（ｂ）は、実施の形態１における電池１６００の概略構成を示すｘ−ｙ図（上面透視図）である。
【０１１９】
実施の形態１における電池１６００は、上述の実施の形態１における電池１５００の構成に加えて、下記の構成をさらに備える。
【０１２０】
すなわち、実施の形態１における電池１６００においては、第２活物質層２２０の角部分のうち、第２丸み部分２４０に隣接する角部分には、丸み部分が設けられる。例えば、図８に示される例においては、第２活物質層２２０の角部分のうち、第２丸み部分２４０ａと第２丸み部分２４０ｂと第２丸み部分２４０ｃと第２丸み部分２４０ｄとに隣接する角部分に、丸み部分が設けられる。
【０１２１】
以上の構成によれば、活物質の脱落の可能性を、より低減できる。すなわち、第２活物質層２２０の角部分における、応力の集中を低減できる（例えば、衝撃力を分散できる）。これにより、第２丸み部分２４０が設けられた角部分における、第２活物質層２２０の第２集電体２１０からの乖離（または、第２集電体２１０からの第２活物質層２２０の崩落）の可能性を低減できる。
【０１２２】
なお、実施の形態１における電池１６００においては、第１活物質層１２０の角部分のうち、第１丸み部分１４０に隣接する角部分には、丸み部分が設けられてもよい。例えば、図８に示される例においては、第１活物質層１２０の角部分のうち、第１丸み部分１４０ａと第１丸み部分１４０ｂと第１丸み部分１４０ｃと第１丸み部分１４０ｄとに隣接する角部分に、丸み部分が設けられる。
【０１２３】
なお、第２活物質層２２０の丸み部分の形状としては、第１丸み部分１４０として示された形状が、用いられうる。
【０１２４】
また、第２集電体２１０および第２活物質層２２０の形状の他の例としては、第１集電体１１０および第１活物質層１２０の形状の他の例として図５に示された形状が、用いられうる。
【０１２５】
図９は、実施の形態１における電池１７００の概略構成を示す図である。
【０１２６】
図９（ａ）は、実施の形態１における電池１７００の概略構成を示すｘ−ｚ図（９Ａ断面図）である。
【０１２７】
図９（ｂ）は、実施の形態１における電池１７００の概略構成を示すｘ−ｙ図（上面透視図）である。
【０１２８】
実施の形態１における電池１７００は、上述の実施の形態１における電池１６００の構成に加えて、下記の構成をさらに備える。
【０１２９】
すなわち、実施の形態１における電池１７００においては、第１電極層１００の形状は、円形状（例えば、楕円形状、正円形状、コイン形状、など）である。このとき、第１丸み部分１４０は、円形状の第１電極層１００の端部（外周部分）を意味する。
【０１３０】
以上の構成によれば、活物質の脱落の可能性を、より低減できる。すなわち、円形状の第１電極層１００を用いることで、第１集電体１１０と第１固体電解質層１３０との積層体の全ての外周部分における、応力の集中を低減できる（例えば、衝撃力を分散できる）。これにより、全ての外周部分における、第１固体電解質層１３０の第１集電体１１０からの乖離（または、第１集電体１１０からの固体電解質の崩落）の可能性を低減できる。このため、第１集電体１１０から剥がれ難い第１固体電解質層１３０により、第１活物質層１２０を覆うことができる。これにより、例えば、電池の製造時および使用時などにおける角当ての衝撃が加わる場合であっても、第１固体電解質層１３０により、第１活物質層１２０に伝わるダメージを低減できる。言い換えれば、第１固体電解質層１３０により、第１活物質層１２０から活物質が脱落する可能性を低減できる。このため、第１活物質層１２０から脱落した活物質が電池内部を移動することに起因して生じうる、電池内部の短絡を防止できる。これにより、電池の信頼性を、より向上させることができる。
【０１３１】
また、以上の構成によれば、第１集電体１１０から剥がれ難い第１固体電解質層１３０により第１活物質層１２０が覆われることで、第１活物質層１２０を第１集電体１１０の全ての外周部分に近づけて配置しても、第１活物質層１２０からの活物質の脱落を防止できる。このため、第１集電体１１０よりも狭い範囲内で可能な限り大きい範囲に、第１活物質層１２０を配置できる。これにより、電池のエネルギー密度を、より高めることができる。
【０１３２】
なお、実施の形態１における電池１７００においては、第２電極層２００の形状は、円形状（例えば、楕円形状、正円形状、コイン形状、など）であってもよい。このとき、第２丸み部分２４０は、円形状の第２電極層２００の端部（外周部分）を意味する。
【０１３３】
以上の構成によれば、活物質の脱落の可能性を、より低減できる。すなわち、円形状の第２電極層２００を用いることで、第２集電体２１０と第２固体電解質層２３０との積層体の全ての外周部分における、応力の集中を低減できる（例えば、衝撃力を分散できる）。これにより、全ての外周部分における、第２固体電解質層２３０の第２集電体２１０からの乖離（または、第２集電体２１０からの固体電解質の崩落）の可能性を低減できる。このため、第２集電体２１０から剥がれ難い第２固体電解質層２３０により、第２活物質層２２０を覆うことができる。これにより、例えば、電池の製造時および使用時などにおける角当ての衝撃が加わる場合であっても、第２固体電解質層２３０により、第２活物質層２２０に伝わるダメージを低減できる。言い換えれば、第２固体電解質層２３０により、第２活物質層２２０から活物質が脱落する可能性を低減できる。このため、第２活物質層２２０から脱落した活物質が電池内部を移動することに起因して生じうる、電池内部の短絡を防止できる。これにより、電池の信頼性を、より向上させることができる。
【０１３４】
また、以上の構成によれば、第２集電体２１０から剥がれ難い第２固体電解質層２３０により第２活物質層２２０が覆われることで、第２活物質層２２０を第２集電体２１０の全ての外周部分に近づけて配置しても、第２活物質層２２０からの活物質の脱落を防止できる。このため、第２集電体２１０よりも狭い範囲内で可能な限り大きい範囲に、第２活物質層２２０を配置できる。これにより、電池のエネルギー密度を、より高めることができる。
【０１３５】
なお、図９に示されるように、実施の形態１における電池１７００においては、第１活物質層１２０の形状と第２活物質層２２０の形状とのうちの少なくとも一方（または、両方）は、円形状（例えば、楕円形状、正円形状、コイン形状、など）であってもよい。
【０１３６】
以上の構成によれば、活物質の脱落の可能性を、より低減できる。すなわち、第１活物質層１２０と第２活物質層２２０との全ての外周部分における、応力の集中を低減できる（例えば、衝撃力を分散できる）。これにより、全ての外周部分における、第１活物質層１２０の第１集電体１１０からの乖離（または、第１集電体１１０からの第１活物質層１２０の崩落）の可能性、および、第２活物質層２２０の第２集電体２１０からの乖離（または、第２集電体２１０からの第２活物質層２２０の崩落）の可能性を低減できる。
【０１３７】
なお、実施の形態１においては、第１活物質層１２０は、第２活物質層２２０よりも広い範囲に、配置されてもよい。
【０１３８】
このとき、第２活物質層２２０は、第１活物質層１２０の形成範囲内に、配置されてもよい。
【０１３９】
以上の構成によれば、第１電極層１００における金属（例えば、リチウム）の析出を、抑制できる。このため、金属の析出に起因する、第１電極層１００と第２電極層２００との間の短絡を防止できる。例えば、炭素材料や金属リチウムを負極に用いたリチウムイオン電池の場合、充電時には、負極側の電位は、リチウムイオンが金属として析出する電位近くまで、下がる。このため、例えば、低温環境下での充電または急速充電を行った場合には、負極活物質のリチウムイオン吸蔵速度が追いつかなくなる可能性が生じる。この場合、リチウムイオンが、金属リチウムとして、析出する可能性が生じる。この金属リチウムの析出は、特に電流が集中する端部に発生しやすい。このため、電池主面を透視で見た場合に、第１活物質層１２０の主面が第２活物質層２２０の主面内に収容される形状とする。これにより、第１活物質層１２０が負極活物質層である場合には、金属リチウムの析出を抑制できる。
【０１４０】
（実施の形態２）
以下、実施の形態２が説明される。上述の実施の形態１と重複する説明は、適宜、省略される。
【０１４１】
図１０は、実施の形態２における電池２０００の概略構成を示す図である。
【０１４２】
図１０（ａ）は、実施の形態２における電池２０００の概略構成を示すｘ−ｚ図（１０Ａ断面図）である。
【０１４３】
図１０（ｂ）は、実施の形態２における電池２０００の概略構成を示すｘ−ｙ図（上面透視図）である。
【０１４４】
実施の形態２における電池２０００は、上述の実施の形態１における電池１４００の構成に加えて、下記の構成をさらに備える。
【０１４５】
すなわち、実施の形態２における電池２０００においては、第１丸み部分１４０と第２丸み部分２４０とは、互いに同じ形状である。
【０１４６】
このとき、第１電極層１００と第２電極層２００とは、第１丸み部分１４０の端部と第２丸み部分２４０の端部とが一致する状態で、互いに積層される。
【０１４７】
以上の構成によれば、第１固体電解質層１３０と第２固体電解質層２３０との接合を、より強固にすることができる。すなわち、第１丸み部分１４０の端部と第２丸み部分２４０の端部とが一致する状態で第１電極層１００と第２電極層２００とが互いに積層されることで、第１丸み部分１４０の端部と第２丸み部分２４０の端部の位置において、段差を無くすことができる。これにより、第１丸み部分１４０の端部と第２丸み部分２４０の端部の位置において、第１固体電解質層１３０から第２固体電解質層２３０が乖離する可能性を低減できる。このため、第１固体電解質層１３０から第２固体電解質層２３０が乖離することに起因する電池部材の脱落（例えば、活物質の脱落）を、より抑制できる。
【０１４８】
なお、本開示においては、「丸み部分の形状」とは、「丸み部分が設けられる所定の層の主面方向（ｘ−ｙ平面方向）における形状」の意味を包含する。
【０１４９】
また、本開示においては、「２つの丸み部分の形状が、同じ形状である」とは、「２つの丸み部分が設けられる所定の２つの層の主面方向（ｘ−ｙ平面方向）における形状が、同じ形状である」ことを包含する。
【０１５０】
なお、本開示においては、図１０に示されるように、「第１丸み部分１４０の端部と第２丸み部分２４０の端部とが一致する状態」とは、例えば、「第１丸み部分１４０を成す曲線状の切断部分と第２丸み部分２４０を成す曲線状の切断部分とが、互いに、段差を生じないように重ね合わされている状態」の意味を包含する。
【０１５１】
また、本開示においては、「第１丸み部分１４０の端部と第２丸み部分２４０の端部とが一致する状態」とは、例えば、「第１丸み部分１４０を成す直線状の切断部分と９０度以上の角部分と第２丸み部分２４０を成す直線状の切断部分と９０度以上の角部分とが、互いに、段差を生じないように重ね合わされている状態」の意味も包含する。
【０１５２】
また、本開示においては、「２つの所定の端部が互いに一致する状態」とは、例えば、「製造上の誤差による不可避な“ずれ”を除いて、２つの所定の端部が互いに一致する状態」の意味を包含する。このとき、「２つの所定の端部が、互いに、段差を生じないように重ね合わされている状態」とは、「製造上の誤差による不可避な“ずれ”により生じる段差を除いて、２つの所定の端部が、互いに、段差を生じないように重ね合わされている状態」の意味を包含する。
【０１５３】
図１１は、実施の形態２における電池２１００の概略構成を示す図である。
【０１５４】
図１１（ａ）は、実施の形態２における電池２１００の概略構成を示すｘ−ｚ図（１１Ａ断面図）である。
【０１５５】
図１１（ｂ）は、実施の形態２における電池２１００の概略構成を示すｘ−ｙ図（上面透視図）である。
【０１５６】
実施の形態２における電池２１００は、上述の実施の形態２における電池２０００の構成に加えて、下記の構成をさらに備える。
【０１５７】
すなわち、実施の形態２における電池２１００においては、第１電極層１００と第２電極層２００とは、互いに同じ形状である。
【０１５８】
このとき、第１電極層１００と第２電極層２００とは、第１電極層１００の端部と第２電極層２００の端部とが一致する状態で、互いに積層される。
【０１５９】
以上の構成によれば、第１固体電解質層１３０と第２固体電解質層２３０との接合を、より強固にすることができる。すなわち、第１電極層１００の端部と第２電極層２００の端部とが一致する状態で第１電極層１００と第２電極層２００とが互いに積層されることで、第１電極層１００の端部と第２電極層２００の端部の位置において、段差を無くすことができる。これにより、第１電極層１００の端部と第２電極層２００の端部の位置において、第１固体電解質層１３０から第２固体電解質層２３０が乖離する可能性を低減できる。このため、第１固体電解質層１３０から第２固体電解質層２３０が乖離することに起因する電池部材の脱落（例えば、活物質の脱落）を、より抑制できる。
【０１６０】
なお、本開示においては、図１１に示されるように、「第１電極層１００の端部と第２電極層２００の端部とが一致する状態」とは、例えば、「第１電極層１００の直線的な端部と角部分と丸み部分と第２電極層２００の直線的な端部と角部分と丸み部分とが、互いに、段差を生じないように重ね合わされている状態」の意味を包含する。
【０１６１】
図１２は、実施の形態２における電池２２００の概略構成を示す図である。
【０１６２】
図１２（ａ）は、実施の形態２における電池２２００の概略構成を示すｘ−ｚ図（１２Ａ断面図）である。
【０１６３】
図１２（ｂ）は、実施の形態２における電池２２００の概略構成を示すｘ−ｙ図（上面透視図）である。
【０１６４】
実施の形態２における電池２２００は、上述の実施の形態２における電池２１００の構成に加えて、下記の構成をさらに備える。
【０１６５】
すなわち、実施の形態２における電池２２００においては、第１電極層１００が有する複数の角部分の全てに、第１丸み部分１４０（１４０ａ、１４０ｂ、１４０ｃ、１４０ｄ）が設けられる。
【０１６６】
さらに、第２電極層２００が有する複数の角部分の全てに、第２丸み部分２４０（２４０ａ、２４０ｂ、２４０ｃ、２４０ｄ）が設けられる。
【０１６７】
なお、本開示においては、図１２に示されるように、「第１電極層１００の端部と第２電極層２００の端部とが一致する状態」とは、例えば、「第１電極層１００の直線的な端部と全ての丸み部分と第２電極層２００の直線的な端部と全ての丸み部分とが、互いに、段差を生じないように重ね合わされている状態」の意味を包含する。
【０１６８】
図１３は、実施の形態２における電池２３００の概略構成を示す図である。
【０１６９】
図１３（ａ）は、実施の形態２における電池２３００の概略構成を示すｘ−ｚ図（１３Ａ断面図）である。
【０１７０】
図１３（ｂ）は、実施の形態２における電池２３００の概略構成を示すｘ−ｙ図（上面透視図）である。
【０１７１】
実施の形態２における電池２３００は、上述の実施の形態２における電池２０００の構成に加えて、下記の構成をさらに備える。
【０１７２】
すなわち、実施の形態２における電池２３００においては、第１電極層１００の形状は、円形状（例えば、楕円形状、正円形状、コイン形状、など）である。
【０１７３】
さらに、第２電極層２００の形状は、円形状（例えば、楕円形状、正円形状、コイン形状、など）である。
【０１７４】
なお、本開示においては、図１３に示されるように、「第１電極層１００の端部と第２電極層２００の端部とが一致する状態」とは、例えば、「第１電極層１００の第１丸み部分１４０を成す曲線状の端部（外周部分）と第２電極層２００の第２丸み部分２４０を成す曲線状の端部（外周部分）とが、互いに、段差を生じないように重ね合わされている状態」の意味を包含する。
【０１７５】
なお、図１３に示されるように、実施の形態２における電池２３００においては、第１活物質層１２０の形状と第２活物質層２２０の形状とのうちの少なくとも一方（または、両方）は、円形状（例えば、楕円形状、正円形状、コイン形状、など）であってもよい。
【０１７６】
以上の構成によれば、活物質の脱落の可能性を、より低減できる。すなわち、第１活物質層１２０と第２活物質層２２０との全ての外周部分における、応力の集中を低減できる（例えば、衝撃力を分散できる）。これにより、全ての外周部分における、第１活物質層１２０の第１集電体１１０からの乖離（または、第１集電体１１０からの第１活物質層１２０の崩落）の可能性、および、第２活物質層２２０の第２集電体２１０からの乖離（または、第２集電体２１０からの第２活物質層２２０の崩落）の可能性を低減できる。
【０１７７】
（実施の形態３）
以下、実施の形態３が説明される。上述の実施の形態１または２と重複する説明は、適宜、省略される。
【０１７８】
図１４は、実施の形態３における電池３０００の概略構成を示す図である。
【０１７９】
図１４（ａ）は、実施の形態３における電池３０００の概略構成を示すｘ−ｚ図（１４Ａ断面図）である。
【０１８０】
図１４（ｂ）は、実施の形態３における電池３０００の概略構成を示すｘ−ｙ図（上面透視図）である。
【０１８１】
実施の形態３における電池３０００は、上述の実施の形態１における電池１０００の構成に加えて、下記の構成をさらに備える。
【０１８２】
すなわち、実施の形態３における電池３０００においては、第２電極層２００は、第２集電体２１０と、第２活物質層２２０と、を備える。
【０１８３】
第２活物質層２２０は、第２集電体２１０と接して、第２集電体２１０よりも狭い範囲に、配置される層である。
【０１８４】
第１固体電解質層１３０は、第２集電体２１０および第２活物質層２２０と接して、第２集電体２１０と同じ範囲に、配置される層である。
【０１８５】
第２活物質層２２０は、第１固体電解質層１３０を介して、第１活物質層１２０と対向する。
【０１８６】
第２集電体２１０の外周部分に、第２丸み部分２４０が設けられる。
【０１８７】
第１丸み部分１４０と第２丸み部分２４０とは、互いに同じ形状である。
【０１８８】
第１電極層１００と第２電極層２００とは、第１丸み部分１４０の端部と第２丸み部分２４０の端部とが一致する状態で、互いに積層される。
【０１８９】
以上の構成によれば、第１固体電解質層１３０と第２集電体２１０との接合を、より強固にすることができる。すなわち、第１丸み部分１４０の端部と第２丸み部分２４０の端部とが一致する状態で第１電極層１００と第２電極層２００とが互いに積層されることで、第１丸み部分１４０の端部と第２丸み部分２４０の端部の位置において、段差を無くすことができる。これにより、第１丸み部分１４０の端部と第２丸み部分２４０の端部の位置において、第１固体電解質層１３０から第２集電体２１０が乖離する可能性を低減できる。このため、第１固体電解質層１３０から第２集電体２１０が乖離することに起因する電池部材の脱落（例えば、活物質の脱落）を、より抑制できる。
【０１９０】
図１５は、実施の形態３における電池３１００の概略構成を示す図である。
【０１９１】
図１５（ａ）は、実施の形態３における電池３１００の概略構成を示すｘ−ｚ図（１５Ａ断面図）である。
【０１９２】
図１５（ｂ）は、実施の形態３における電池３１００の概略構成を示すｘ−ｙ図（上面透視図）である。
【０１９３】
実施の形態３における電池３１００は、上述の実施の形態３における電池３０００の構成に加えて、下記の構成をさらに備える。
【０１９４】
すなわち、実施の形態３における電池３１００においては、第１電極層１００と第２電極層２００とは、互いに同じ形状である。
【０１９５】
第１電極層１００と第２電極層２００とは、第１電極層１００の端部と第２電極層２００の端部とが一致する状態で、互いに積層される。
【０１９６】
以上の構成によれば、第１固体電解質層１３０と第２集電体２１０との接合を、より強固にすることができる。すなわち、第１電極層１００の端部と第２電極層２００の端部とが一致する状態で第１電極層１００と第２電極層２００とが互いに積層されることで、第１電極層１００の端部と第２電極層２００の端部の位置において、段差を無くすことができる。これにより、第１電極層１００の端部と第２電極層２００の端部の位置において、第１固体電解質層１３０から第２集電体２１０が乖離する可能性を低減できる。このため、第１固体電解質層１３０から第２集電体２１０が乖離することに起因する電池部材の脱落（例えば、活物質の脱落）を、より抑制できる。
【０１９７】
図１６は、実施の形態３における電池３２００の概略構成を示す図である。
【０１９８】
図１６（ａ）は、実施の形態３における電池３２００の概略構成を示すｘ−ｚ図（１６Ａ断面図）である。
【０１９９】
図１６（ｂ）は、実施の形態３における電池３２００の概略構成を示すｘ−ｙ図（上面透視図）である。
【０２００】
実施の形態３における電池３２００は、上述の実施の形態３における電池３１００の構成に加えて、下記の構成をさらに備える。
【０２０１】
すなわち、実施の形態３における電池３２００においては、第１電極層１００の形状と第２電極層２００の形状は、円形状である。
【０２０２】
以上の構成によれば、第１固体電解質層１３０と第２集電体２１０との接合を、より強固にすることができる。すなわち、円形状の第１電極層１００の端部と円形状の第２電極層２００の端部とが一致する状態で第１電極層１００と第２電極層２００とが互いに積層されることで、第１電極層１００と第２電極層２００との全ての外周部分の位置において、段差を無くすことができる。これにより、第１電極層１００と第２電極層２００との全ての外周部分の位置において、第１固体電解質層１３０から第２集電体２１０が乖離する可能性を低減できる。このため、第１固体電解質層１３０から第２集電体２１０が乖離することに起因する電池部材の脱落（例えば、活物質の脱落）を、より抑制できる。
【０２０３】
なお、図１６に示されるように、実施の形態３における電池３２００においては、第１活物質層１２０の形状と第２活物質層２２０の形状とのうちの少なくとも一方（または、両方）は、円形状（例えば、楕円形状、正円形状、コイン形状、など）であってもよい。
【０２０４】
以上の構成によれば、活物質の脱落の可能性を、より低減できる。すなわち、第１活物質層１２０と第２活物質層２２０との全ての外周部分における、応力の集中を低減できる（例えば、衝撃力を分散できる）。これにより、全ての外周部分における、第１活物質層１２０の第１集電体１１０からの乖離（または、第１集電体１１０からの第１活物質層１２０の崩落）の可能性、および、第２活物質層２２０の第２集電体２１０からの乖離（または、第２集電体２１０からの第２活物質層２２０の崩落）の可能性を低減できる。
【０２０５】
（実施の形態４）
以下、実施の形態４が説明される。上述の実施の形態１から３のいずれかと重複する説明は、適宜、省略される。
【０２０６】
図１７は、実施の形態４における電池４０００の概略構成を示す図である。
【０２０７】
図１７（ａ）は、実施の形態４における電池４０００の概略構成を示すｘ−ｚ図（１７Ａ断面図）である。
【０２０８】
図１７（ｂ）は、実施の形態４における電池４０００の概略構成を示すｘ−ｙ図（上面透視図）である。
【０２０９】
実施の形態４における電池４０００は、上述の実施の形態１における電池１０００の構成に加えて、下記の構成をさらに備える。
【０２１０】
すなわち、実施の形態４における電池４０００は、第３電極層３００をさらに備える。
【０２１１】
第３電極層３００は、第１電極層１００に積層される。第３電極層３００は、第１電極層１００の対極となる層である。
【０２１２】
第３電極層３００は、第３集電体３１０と、第３活物質層３２０と、第３固体電解質層３３０と、を備える。
【０２１３】
第１集電体１１０と第３集電体３１０とは、互いに、電気的に接続される。
【０２１４】
第３活物質層３２０は、第３集電体３１０と接して、第３集電体３１０よりも狭い範囲に、配置される。
【０２１５】
第３固体電解質層３３０は、第３集電体３１０および第３活物質層３２０と接して、第３集電体３１０と同じ範囲に、配置される。
【０２１６】
第３電極層３００の外周部分に、第３丸み部分３４０が設けられる。
【０２１７】
第１丸み部分１４０と第３丸み部分３４０とは、互いに同じ形状である。
【０２１８】
第１電極層１００と第３電極層３００とは、第１丸み部分１４０の端部と第３丸み部分３４０の端部とが一致する状態で、互いに積層される。
【０２１９】
以上の構成によれば、活物質の脱落の可能性を、より低減できる。すなわち、第３丸み部分３４０が設けられた外周部分を有する第３電極層３００を用いることで、第３集電体３１０と第３固体電解質層３３０との積層体の第３丸み部分３４０が設けられた外周部分における、応力の集中を低減できる（例えば、衝撃力を分散できる）。これにより、第３丸み部分３４０が設けられた外周部分における、第３固体電解質層３３０の第３集電体３１０からの乖離（または、第３集電体３１０からの固体電解質の崩落）の可能性を低減できる。このため、第３集電体３１０から剥がれ難い第３固体電解質層３３０により、第３活物質層３２０を覆うことができる。これにより、例えば、電池の製造時および使用時などにおける角当ての衝撃が加わる場合であっても、第３固体電解質層３３０により、第３活物質層３２０に伝わるダメージを低減できる。言い換えれば、第３固体電解質層３３０により、第３活物質層３２０から活物質が脱落する可能性を低減できる。このため、第３活物質層３２０から脱落した活物質が電池内部を移動することに起因して生じうる、電池内部の短絡を防止できる。これにより、電池の信頼性を、より向上させることができる。
【０２２０】
また、以上の構成によれば、第３集電体３１０から剥がれ難い第３固体電解質層３３０により第３活物質層３２０が覆われることで、第３活物質層３２０を第３集電体３１０の外周部分に近づけて配置しても、第３活物質層３２０からの活物質の脱落を防止できる。このため、第３集電体３１０よりも狭い範囲内で可能な限り大きい範囲に、第３活物質層３２０を配置できる。これにより、電池のエネルギー密度を、より高めることができる。
【０２２１】
また、以上の構成によれば、第１電極層１００と第３電極層３００との接合を、より強固にすることができる。すなわち、第１丸み部分１４０の端部と第３丸み部分３４０の端部とが一致する状態で第１電極層１００と第３電極層３００とが互いに積層されることで、第１丸み部分１４０の端部と第３丸み部分３４０の端部の位置において、段差を無くすことができる。これにより、第１丸み部分１４０の端部と第３丸み部分３４０の端部の位置において、第１電極層１００（例えば、第１集電体１１０）から第３電極層３００（例えば、第３集電体３１０）が乖離する可能性を低減できる。このため、第１電極層１００から第３電極層３００が乖離することに起因する電池部材の脱落（例えば、活物質の脱落）を、より抑制できる。さらに、第１電極層１００から第３電極層３００が部分的に乖離することに起因する電流集中および抵抗増加などを抑制できる。
【０２２２】
第３活物質層３２０は、対極材料（例えば、活物質）を含む層である。
【０２２３】
第３固体電解質層３３０は、固体電解質を含む固体電解質層である。
【０２２４】
なお、第１活物質層１２０は負極活物質層であってもよい。このとき、電極材料は負極活物質である。第１集電体１１０は負極集電体である。第１固体電解質層１３０は負極側固体電解質層である。第３活物質層３２０は正極活物質層である。対極材料は正極活物質である。第３集電体３１０は正極集電体である。第３固体電解質層３３０は正極側固体電解質層である。
【０２２５】
もしくは、第１活物質層１２０は正極活物質層であってもよい。このとき、電極材料は正極活物質である。第１集電体１１０は正極集電体である。第１固体電解質層１３０は正極側固体電解質層である。第３活物質層３２０は負極活物質層である。対極材料は負極活物質である。第３集電体３１０は負極集電体である。第３固体電解質層３３０は負極側固体電解質層である。
【０２２６】
なお、図１７に示されるように、第３活物質層３２０と第３固体電解質層３３０とは、第３集電体３１０の主面のうち、第１集電体１１０が配置されない主面の側に、配置されてもよい。
【０２２７】
また、図１７に示されるように、第３集電体３１０は、第１集電体１１０の主面のうち、第１活物質層１２０が配置されない主面の側に、配置されてもよい。
【０２２８】
また、図１７に示されるように、第１集電体１１０の主面と第３集電体３１０の主面とは、互いに、直接接触されてもよい。もしくは、第１集電体１１０の主面と第３集電体３１０の主面との間に、導電性の別の部材（例えば、接着材料を含む接着層、など）が設けられてもよい。
【０２２９】
なお、図１７に示されるように、第１電極層１００と第３電極層３００とは、互いに同じ形状であってもよい。
【０２３０】
このとき、第１電極層１００と第３電極層３００とは、第１電極層１００の端部と第３電極層３００の端部とが一致する状態で、互いに積層されてもよい。
【０２３１】
以上の構成によれば、第１電極層１００と第３電極層３００との接合を、より強固にすることができる。すなわち、第１電極層１００の端部と第３電極層３００の端部とが一致する状態で第１電極層１００と第３電極層３００とが互いに積層されることで、第１電極層１００の端部と第３電極層３００の端部の位置において、段差を無くすことができる。これにより、第１電極層１００の端部と第３電極層３００の端部の位置において、第１電極層１００（例えば、第１集電体１１０）から第３電極層３００（例えば、第３集電体３１０）が乖離する可能性を低減できる。このため、第１電極層１００から第３電極層３００が乖離することに起因する電池部材の脱落（例えば、活物質の脱落）を、より抑制できる。さらに、第１電極層１００から第３電極層３００が部分的に乖離することに起因する電流集中および抵抗増加などを、より抑制できる。
【０２３２】
なお、第３丸み部分３４０の形状としては、第１丸み部分１４０として示された形状が、用いられうる。
【０２３３】
また、第３電極層３００の形状としては、第１電極層１００として示された形状が、用いられうる。
【０２３４】
また、第３集電体３１０および第３活物質層３２０の形状の他の例としては、第１集電体１１０および第１活物質層１２０の形状の他の例として図５に示された形状が、用いられうる。
【０２３５】
図１８は、実施の形態４における電池４１００の概略構成を示すｘ−ｚ図（断面図）である。
【０２３６】
実施の形態４における電池４１００は、上述の実施の形態４における電池４０００の構成に加えて、下記の構成をさらに備える。
【０２３７】
すなわち、実施の形態４における電池４１００は、第２電極層２００と、第４電極層４００と、をさらに備える。
【０２３８】
第４電極層４００は、第１電極層１００の同極となる層である。第４電極層４００は、第４集電体４１０と、第４活物質層４２０と、を備える。第４活物質層４２０は、電極材料（例えば、活物質）を含む層である。
【０２３９】
以上の構成によれば、活物質の脱落の可能性を低減した積層電池を実現できる。より具体的には、第１発電要素（第１電極層１００と第２電極層２００とから構成される発電要素）と第２発電要素（第３電極層３００と第４電極層４００とから構成される発電要素）とが直列に接続されてなる積層電池を実現できる。これにより、活物質の脱落の可能性を低減しながら、複数の発電要素の直列接続による高い電池電圧を実現できる。
【０２４０】
図１９は、実施の形態４における電池４２００の概略構成を示すｘ−ｚ図（断面図）である。
【０２４１】
実施の形態４における電池４２００は、上述の実施の形態４における電池４１００の構成に加えて、下記の構成をさらに備える。
【０２４２】
すなわち、実施の形態４における電池４２００においては、第２電極層２００は、第２固体電解質層２３０を備える。このとき、第１固体電解質層１３０と第２固体電解質層２３０とは、互いに接合される。
【０２４３】
さらに、第４電極層４００は、第４固体電解質層４３０を備える。第４固体電解質層４３０は、固体電解質を含む固体電解質層である。
【０２４４】
このとき、第３固体電解質層３３０と第４固体電解質層４３０とは、互いに接合される。
【０２４５】
以上の構成によれば、それぞれの固体電解質層に生じうるピンホールによる短絡の可能性を、低減することができる。このため、活物質の脱落の可能性と短絡の可能性とを低減しながら、複数の発電要素の直列接続による高い電池電圧を実現できる。
【０２４６】
なお、第１電極層１００と第２電極層２００と第３電極層３００と第４電極層４００とは、互いに、同じ形状であってもよい。
【０２４７】
以上の構成によれば、それぞれの電極層における活物質の脱落の可能性、および、それぞれの電極層の間の乖離の可能性を、より低減することができる。
【０２４８】
（実施の形態５）
以下、実施の形態５が説明される。上述の実施の形態１から４のいずれかと重複する説明は、適宜、省略される。
【０２４９】
図２０は、実施の形態５における電池５０００の概略構成を示す図である。
【０２５０】
図２０（ａ）は、実施の形態５における電池５０００の概略構成を示すｘ−ｚ図（２０Ａ断面図）である。
【０２５１】
図２０（ｂ）は、実施の形態５における電池５０００の概略構成を示すｘ−ｙ図（上面透視図）である。
【０２５２】
実施の形態５における電池５０００は、上述の実施の形態１における電池１０００の構成に加えて、下記の構成をさらに備える。
【０２５３】
すなわち、実施の形態５における電池５０００は、第３電極層３００をさらに備える。
【０２５４】
第３電極層３００は、第１電極層１００に積層される。第３電極層３００は、第１電極層１００の対極となる層である。
【０２５５】
第３電極層３００は、第３活物質層３２０と、第３固体電解質層３３０と、を備える。
【０２５６】
第３活物質層３２０は、第１集電体１１０と接して、第１集電体１１０よりも狭い範囲に、配置される。
【０２５７】
第３固体電解質層３３０は、第１集電体１１０および第３活物質層３２０と接して、第１集電体１１０と同じ範囲に、配置される。
【０２５８】
第３電極層３００の外周部分に、第３丸み部分３４０が設けられる。
【０２５９】
第１丸み部分１４０と第３丸み部分３４０とは、互いに同じ形状である。
【０２６０】
第１電極層１００と第３電極層３００とは、第１丸み部分１４０の端部と第３丸み部分３４０の端部とが一致する状態で、互いに積層される。
【０２６１】
以上の構成によれば、活物質の脱落の可能性を、より低減できる。すなわち、第３丸み部分３４０が設けられた外周部分を有する第３電極層３００を用いることで、第１集電体１１０と第３固体電解質層３３０との積層体の第３丸み部分３４０が設けられた外周部分における、応力の集中を低減できる（例えば、衝撃力を分散できる）。これにより、第３丸み部分３４０が設けられた外周部分における、第３固体電解質層３３０の第１集電体１１０からの乖離（または、第１集電体１１０からの固体電解質の崩落）の可能性を低減できる。このため、第１集電体１１０から剥がれ難い第３固体電解質層３３０により、第３活物質層３２０を覆うことができる。これにより、例えば、電池の製造時および使用時などにおける角当ての衝撃が加わる場合であっても、第３固体電解質層３３０により、第３活物質層３２０に伝わるダメージを低減できる。言い換えれば、第３固体電解質層３３０により、第３活物質層３２０から活物質が脱落する可能性を低減できる。このため、第３活物質層３２０から脱落した活物質が電池内部を移動することに起因して生じうる、電池内部の短絡を防止できる。これにより、電池の信頼性を、より向上させることができる。
【０２６２】
また、以上の構成によれば、第１集電体１１０から剥がれ難い第３固体電解質層３３０により第３活物質層３２０が覆われることで、第３活物質層３２０を第１集電体１１０の外周部分に近づけて配置しても、第３活物質層３２０からの活物質の脱落を防止できる。このため、第１集電体１１０よりも狭い範囲内で可能な限り大きい範囲に、第３活物質層３２０を配置できる。これにより、電池のエネルギー密度を、より高めることができる。
【０２６３】
なお、図２０に示されるように、第３活物質層３２０と第３固体電解質層３３０とは、第１集電体１１０の主面のうち、第１活物質層１２０が配置されない主面の側に、配置されてもよい。これにより、第１集電体１１０は、バイポーラ集電体となる。また、第１集電体１１０と第１活物質層１２０と第３活物質層３２０とにより、バイポーラ電極が構成される。
【０２６４】
図２１は、実施の形態５における電池５１００の概略構成を示すｘ−ｚ図（断面図）である。
【０２６５】
実施の形態５における電池５１００は、上述の実施の形態５における電池５０００の構成に加えて、下記の構成をさらに備える。
【０２６６】
すなわち、実施の形態５における電池５１００は、第２電極層２００と、第４電極層４００と、をさらに備える。
【０２６７】
第４電極層４００は、第１電極層１００の同極となる層である。第４電極層４００は、第４集電体４１０と、第４活物質層４２０と、を備える。第４活物質層４２０は、電極材料（例えば、活物質）を含む層である。
【０２６８】
以上の構成によれば、活物質の脱落の可能性を低減した積層電池を実現できる。より具体的には、第１発電要素（第１電極層１００と第２電極層２００とから構成される発電要素）と第２発電要素（第３電極層３００と第４電極層４００とから構成される発電要素）とが直列に接続されてなる積層電池を実現できる。これにより、活物質の脱落の可能性を低減しながら、複数の発電要素の直列接続による高い電池電圧を実現できる。
【０２６９】
また、以上の構成によれば、上述の実施の形態４における電池４１００の構成である第１集電体１１０と第３集電体３１０との積層体を用いる場合と比較して、第１集電体１１０と第１活物質層１２０と第３活物質層３２０とから構成されるバイポーラ電極を用いることで、第１発電要素と第２発電要素とを、より強固に接合することができる。
【０２７０】
図２２は、実施の形態５における電池５２００の概略構成を示すｘ−ｚ図（断面図）である。
【０２７１】
実施の形態５における電池５２００は、上述の実施の形態５における電池５１００の構成に加えて、下記の構成をさらに備える。
【０２７２】
すなわち、実施の形態５における電池５２００においては、第２電極層２００は、第２固体電解質層２３０を備える。このとき、第１固体電解質層１３０と第２固体電解質層２３０とは、互いに接合される。
【０２７３】
さらに、第４電極層４００は、第４固体電解質層４３０を備える。第４固体電解質層４３０は、固体電解質を含む固体電解質層である。
【０２７４】
このとき、第３固体電解質層３３０と第４固体電解質層４３０とは、互いに接合される。
【０２７５】
以上の構成によれば、それぞれの固体電解質層に生じうるピンホールによる短絡の可能性を、低減することができる。このため、活物質の脱落の可能性と短絡の可能性とを低減しながら、複数の発電要素の直列接続による高い電池電圧を実現できる。
【０２７６】
なお、第１電極層１００と第２電極層２００と第３電極層３００と第４電極層４００とは、互いに、同じ形状であってもよい。
【０２７７】
以上の構成によれば、それぞれの電極層における活物質の脱落の可能性、および、それぞれの電極層の間の乖離の可能性を、より低減することができる。
【０２７８】
なお、実施の形態１から５における電池は、例えば、全固体電池（例えば、全固体リチウム二次電池）であってもよい。実施の形態１から５における電池によれば、製造時および充電時の正負極間の短絡を抑止できる全固体電池を実現できる。また、高電圧（例えば、電池セル２個分以上）が要求される場合でも、固体電解質を用いた積層型全固体電池であれば、１つの電池セル内で直接複数の発電素子を直列接続することで、容易に高電圧化を図ることができる。実施の形態１から５における電池によれば、複数セルを積層した場合でも、正負極が短絡しない積層型全固体電池を実現できる。
【０２７９】
なお、実施の形態１から５における電池の製造方法は、後述の実施の形態６および７として、説明される。
【０２８０】
（実施の形態６）
以下、実施の形態６が説明される。上述の実施の形態１から５のいずれかと重複する説明は、適宜、省略される。
【０２８１】
図２３は、実施の形態６における電池製造装置６０００の概略構成を示す図である。
【０２８２】
実施の形態６における電池製造装置６０００は、第１電極層形成部６１０と、第２電極層形成部６２０と、積層部６３０と、を備える。
【０２８３】
第１電極層形成部６１０は、第１電極層１００を形成する。
【０２８４】
第１電極層形成部６１０は、第１集電体１１０と接して、第１集電体１１０よりも狭い範囲に、第１活物質層１２０を形成する。
【０２８５】
第１電極層形成部６１０は、第１集電体１１０および第１活物質層１２０と接して、第１集電体１１０と同じ範囲に、第１固体電解質層１３０を形成する。
【０２８６】
第２電極層形成部６２０は、第２電極層２００を形成する。
【０２８７】
第２電極層形成部６２０は、第２集電体２１０と接して、第２集電体２１０よりも狭い範囲に、第２活物質層２２０を形成する。
【０２８８】
第２電極層形成部６２０は、第２集電体２１０および第２活物質層２２０と接して、第２集電体２１０と同じ範囲に、第２固体電解質層２３０を形成する。
【０２８９】
積層部６３０は、第１電極層１００と第２電極層２００とを互いに積層する。これにより、積層部６３０は、第１活物質層１２０を、第１固体電解質層１３０と第２固体電解質層２３０とを介して、第２活物質層２２０と対向させる。
【０２９０】
図２４は、実施の形態６における電池製造方法を示すフローチャートである。
【０２９１】
実施の形態６における電池製造方法は、実施の形態６における電池製造装置６０００を用いた電池製造方法である。例えば、実施の形態６における電池製造方法は、実施の形態６における電池製造装置６０００において実行される電池製造方法である。
【０２９２】
実施の形態６における電池製造方法は、第１活物質層形成工程Ｓ１１１０（＝工程（ａ１））と、第１固体電解質層形成工程Ｓ１１２０（＝工程（ａ２））と、第２活物質層形成工程Ｓ１２１０（＝工程（ｂ１））と、第２固体電解質層形成工程Ｓ１２２０（＝工程（ｂ２））と、積層工程Ｓ１３１０（＝工程（ｃ））と、を包含する。
【０２９３】
第１活物質層形成工程Ｓ１１１０は、第１電極層形成部６１０により、第１集電体１１０と接して、第１集電体１１０よりも狭い範囲に、第１活物質層１２０を形成する工程である。
【０２９４】
第１固体電解質層形成工程Ｓ１１２０は、第１電極層形成部６１０により、第１集電体１１０および第１活物質層１２０と接して、第１集電体１１０と同じ範囲に、第１固体電解質層１３０を形成する工程である。第１固体電解質層形成工程Ｓ１１２０は、第１活物質層形成工程Ｓ１１１０の後に、実行される工程である。
【０２９５】
第２活物質層形成工程Ｓ１２１０は、第２電極層形成部６２０により、第２集電体２１０と接して、第２集電体２１０よりも狭い範囲に、第２活物質層２２０を形成する工程である。
【０２９６】
第２固体電解質層形成工程Ｓ１２２０は、第２電極層形成部６２０により、第２集電体２１０および第２活物質層２２０と接して、第２集電体２１０と同じ範囲に、第２固体電解質層２３０を形成する工程である。第２固体電解質層形成工程Ｓ１２２０は、第２活物質層形成工程Ｓ１２１０の後に、実行される工程である。
【０２９７】
積層工程Ｓ１３１０は、積層部６３０により、第１電極層１００と第２電極層２００とを互いに積層して、第１活物質層１２０を、第１固体電解質層１３０と第２固体電解質層２３０とを介して、第２活物質層２２０と対向させる工程である。積層工程Ｓ１３１０は、第１固体電解質層形成工程Ｓ１１２０および第２固体電解質層形成工程Ｓ１２２０の後に、実行される工程である。
【０２９８】
以上の製造装置または製造方法によれば、第１集電体１１０と同じ範囲に第１固体電解質層１３０を形成し、かつ、第２集電体２１０と同じ範囲に第２固体電解質層２３０を形成した後に、第１電極層１００と第２電極層２００とを積層することで、電池製造時においても、第１集電体１１０と第２集電体２１０との位置の安定性をより高め、かつ、第１集電体１１０と第２集電体２１０との接触の可能性をより低減できる。
【０２９９】
さらに、以上の製造装置または製造方法によれば、第１集電体１１０と第２集電体２１０とが接触する可能性を低減できる。すなわち、第１集電体１１０と第２集電体２１０との対向部分が、第１固体電解質層１３０と第２固体電解質層２３０とにより、固定化できる。例えば、第１集電体１１０と第２集電体２１０とが薄膜で構成されていても、第１固体電解質層１３０と第２固体電解質層２３０とにより、第１集電体１１０と第２集電体２１０との間隔を、一定の距離以上（例えば、第１固体電解質層１３０と第２固体電解質層２３０との厚み以上）に、維持できる。したがって、第１集電体１１０と第２集電体２１０とが、互いに近接することを回避できる。これにより、例えば、電池セルを複数積層する場合であっても、第１集電体１１０と第２集電体２１０の変形を防止できる。したがって、例えば、電池セルを複数積層する場合であっても、第１集電体１１０と第２集電体２１０との間の短絡を防止できる。また、例えば、第１電極層１００と第２電極層２００との間にセパレータを備えない全固体電池においても、第１集電体１１０と第２集電体２１０とが直接接触して短絡するリスクを低減できる。
【０３００】
さらに、以上の製造装置または製造方法によれば、第１電極層１００と第２電極層２００とを絶縁するための別部材（例えば、絶縁スペーサー）が不要となる。これにより、電池の製造工程を、より簡便化かつ低コスト化できる。
【０３０１】
さらに、以上の製造装置または製造方法によれば、第１固体電解質層１３０と第２固体電解質層２３０とが接合してなる固体電解質層を備えることで、例えば製造時において第１固体電解質層１３０と第２固体電解質層２３０とに生じうるピンホールによる短絡の可能性を、低減することができる。
【０３０２】
なお、以上の製造方法においては、第１集電体１１０として、第１丸み部分１４０が外周部分に設けられた集電体を用いてもよい。このとき、第１丸み部分１４０の形状（または、第１集電体１１０の形状）は、上述の実施の形態１から５のいずれかにて示された形状が用いられうる。このとき、第１集電体１１０と同じ範囲に第１固体電解質層１３０が形成されることで、第１集電体１１０と第１固体電解質層１３０との外周部分に、第１丸み部分１４０が設けられる。すなわち、第１丸み部分１４０を有する第１電極層１００を作製できる。
【０３０３】
また、以上の製造方法においては、第２集電体２１０として、第２丸み部分２４０が外周部分に設けられた集電体を用いてもよい。このとき、第２丸み部分２４０の形状（または、第２集電体２１０の形状）は、上述の実施の形態１から５のいずれかにて示された形状が用いられうる。このとき、第２集電体２１０と同じ範囲に第２固体電解質層２３０が形成されることで、第２集電体２１０と第２固体電解質層２３０との外周部分に、第２丸み部分２４０が設けられる。すなわち、第２丸み部分２４０を有する第２電極層２００を作製できる。
【０３０４】
また、第３丸み部分３４０を有する第３電極層３００、および、第４丸み部分４４０を有する第４電極層４００も、上記と同様の方法によって、作製されうる。
【０３０５】
また、予め準備する集電体の主面の大きさを変えることで、それぞれの電極層の主面の大きさを変えることができる。これにより、それぞれの電極層の丸み部分の形状を互いに同じ形状にできる。もしくは、それぞれの電極層の形状を互いに同じ形状にできる。
【０３０６】
また、積層工程において、積層対象となるそれぞれの電極層の位置は、調整されてもよい。これにより、それぞれの電極層の丸み部分の端部どうしが一致する状態で、それぞれの電極層を積層することができる。もしくは、それぞれの電極層の端部どうしが一致する状態で、それぞれの電極層を積層することができる。
【０３０７】
また、活物質形成工程において、それぞれの活物質層の形成範囲は、調整されてもよい。これにより、それぞれの活物質層の端部に丸み部分を設けることができる。
【０３０８】
なお、実施の形態６における電池製造装置６０００においては、第２電極層形成部６２０は、第１活物質層１２０を、第２活物質層２２０よりも広い範囲に、形成してもよい。このとき、積層部６３０は、第２活物質層２２０を、第１活物質層１２０の形成範囲内に、配置してもよい。
【０３０９】
言い換えれば、実施の形態６における電池製造方法においては、第２活物質層形成工程Ｓ１２１０において、第２電極層形成部６２０により、第２活物質層２２０は、第１活物質層１２０よりも狭い範囲に、形成されてもよい。
【０３１０】
このとき、積層工程Ｓ１３１０において、積層部６３０により、第１活物質層１２０は、第２活物質層２２０の形成範囲外に、配置されてもよい。
【０３１１】
以上の製造装置または製造方法によれば、第１活物質層１２０における金属（例えば、リチウム）の析出を、抑制できる。このため、金属の析出に起因する、第１電極層１００と第２電極層２００との間の短絡を防止できる。
【０３１２】
なお、実施の形態６においては、図２４に示されるように、第２活物質層形成工程Ｓ１２１０と第２固体電解質層形成工程Ｓ１２２０とは、第１活物質層形成工程Ｓ１１１０と第１固体電解質層形成工程Ｓ１１２０よりも後に、実行されてもよい。
【０３１３】
もしくは、第２活物質層形成工程Ｓ１２１０と第２固体電解質層形成工程Ｓ１２２０とは、第１活物質層形成工程Ｓ１１１０と第１固体電解質層形成工程Ｓ１１２０よりも前に、実行されてもよい。
【０３１４】
もしくは、第２活物質層形成工程Ｓ１２１０と第２固体電解質層形成工程Ｓ１２２０とは、第１活物質層形成工程Ｓ１１１０と第１固体電解質層形成工程Ｓ１１２０と同時並行して、実行されてもよい。
【０３１５】
以下に、実施の形態６における電池製造方法の具体的な一例が、説明される。
【０３１６】
図２５は、第１活物質層形成工程Ｓ１１１０と第１固体電解質層形成工程Ｓ１１２０の一例を示す図である。
【０３１７】
予め準備された第１集電体１１０の上に、第１活物質層１２０が形成される。例えば、活物質（および、他の材料）を所定の溶媒と共に練り込んだペースト状の塗料を、塗工装置などにより、第１集電体１１０の上に塗工する（さらに、乾燥させてもよい）。このとき、第１集電体１１０と接して、第１集電体１１０よりも狭い範囲に、第１活物質層１２０は形成される（第１活物質層形成工程Ｓ１１１０）。これにより、第１集電体１１０の上に、第１集電体１１０が周囲に露出するように、第１活物質層１２０が形成される。
【０３１８】
第１活物質層１２０が形成された第１集電体１１０の上に、第１固体電解質層１３０が形成される。例えば、固体電解質（および、他の材料）を所定の溶媒と共に練り込んだペースト状の塗料を、塗工装置などにより、第１活物質層１２０と第１集電体１１０の上に塗工する（さらに、乾燥させてもよい）。このとき、第１集電体１１０と同じ範囲に、第１固体電解質層１３０は形成される（第１固体電解質層形成工程Ｓ１１２０）。これにより、露出した第１集電体１１０の上に、第１活物質層１２０を覆いながら、第１固体電解質層１３０が形成される。これにより、第１電極層１００（例えば、電極板）が作製される。
【０３１９】
図２６は、第２活物質層形成工程Ｓ１２１０と第２固体電解質層形成工程Ｓ１２２０の一例を示す図である。
【０３２０】
予め準備された第２集電体２１０の上に、第２活物質層２２０が形成される。例えば、活物質（および、他の材料）を所定の溶媒と共に練り込んだペースト状の塗料を、塗工装置などにより、第２集電体２１０の上に塗工する（さらに、乾燥させてもよい）。このとき、第２集電体２１０と接して、第２集電体２１０よりも狭い範囲に、第２活物質層２２０は形成される（第２活物質層形成工程Ｓ１２１０）。これにより、第２集電体２１０の上に、第２集電体２１０が周囲に露出するように、第２活物質層２２０が形成される。なお、図２６に示される例では、第２活物質層２２０は、第１活物質層１２０よりも広い範囲に（すなわち、第１活物質層１２０の形成面積よりも大きな面積で）、形成される。
【０３２１】
第２活物質層２２０が形成された第２集電体２１０の上に、第２固体電解質層２３０が形成される。例えば、固体電解質（および、他の材料）を所定の溶媒と共に練り込んだペースト状の塗料を、塗工装置などにより、第２活物質層２２０と第２集電体２１０の上に塗工する（さらに、乾燥させてもよい）。このとき、第２集電体２１０と同じ範囲に、第２固体電解質層２３０は形成される（第２固体電解質層形成工程Ｓ１２２０）。これにより、露出した第２集電体２１０の上に、第２活物質層２２０を覆いながら、第２固体電解質層２３０が形成される。これにより、第２電極層２００（例えば、電極板）が作製される。
【０３２２】
図２７は、積層工程Ｓ１３１０の一例を示す図である。
【０３２３】
それぞれ作製された第１電極層１００と第２電極層２００とを、搬送装置などを用いて、互いに、対向させて位置させる。その後、それらを接触させることで、第１電極層１００と第２電極層２００とを積層する。これにより、第１活物質層１２０は、第１固体電解質層１３０と第２固体電解質層２３０とを介して、第２活物質層２２０と対向する（積層工程Ｓ１３１０）。
【０３２４】
第１固体電解質層１３０と第２固体電解質層２３０との接触部分は、乾燥工程または圧接工程などにより、接合されうる。
【０３２５】
なお、積層工程Ｓ１３１０においては、第１固体電解質層１３０の主面の全領域と第２固体電解質層２３０の主面の全領域とが、互いに接触されてもよい（その後、接合されてもよい）。もしくは、第１固体電解質層１３０の主面の一部の領域（例えば、主面の半分以上の領域）と第２固体電解質層２３０の主面の一部の領域（例えば、主面の半分以上の領域）とが、互いに接触されてもよい（その後、接合されてもよい）。
【０３２６】
図２８は、実施の形態６における電池製造方法の変形例を示すフローチャートである。
【０３２７】
実施の形態６においては、図２３に示されるように、電池製造装置６０００は、プレス部６４０を、さらに備えてもよい。
【０３２８】
プレス部６４０は、互いに積層された第１電極層１００と第２電極層２００とをプレスすることで、第１固体電解質層１３０と第２固体電解質層２３０とを接合する。
【０３２９】
言い換えれば、実施の形態６における電池製造方法は、図２８に示されるように、プレス工程Ｓ１４１０（＝工程（ｄ））を、さらに包含してもよい。なお、プレス工程Ｓ１４１０は、積層工程Ｓ１３１０の後に、実行されてもよい。
【０３３０】
プレス工程Ｓ１４１０は、プレス部６４０により、互いに積層された第１電極層１００と第２電極層２００とをプレスすることで、第１固体電解質層１３０と第２固体電解質層２３０とを接合する（圧接する）工程である。
【０３３１】
以上の製造装置または製造方法によれば、第１固体電解質層１３０と第２固体電解質層２３０とが圧接されることで、第１固体電解質層１３０と第２固体電解質層２３０との間の接合を、より強固とすることができる。また、第１固体電解質層１３０と第２固体電解質層２３０とに生じうるピンホールによる短絡の可能性を、より低減することができる。
【０３３２】
図２９は、実施の形態６における電池製造装置６１００の概略構成を示す図である。
【０３３３】
実施の形態６における電池製造装置６１００においては、第１電極層形成部６１０は、第１固体電解質層形成部６１１と、第１電極側切断部６１２と、を備える。
【０３３４】
第１固体電解質層形成部６１１は、第１集電体１１０および第１活物質層１２０と接して、第１固体電解質層１３０を形成する。
【０３３５】
第１電極側切断部６１２は、第１固体電解質層１３０とともに第１集電体１１０を切断することで、第１固体電解質層１３０の形成範囲を、第１集電体１１０と同じ範囲とする。
【０３３６】
また、実施の形態６における電池製造装置６１００においては、第２電極層形成部６２０は、第２固体電解質層形成部６２１と、第２電極側切断部６２２と、を備える。
【０３３７】
第２固体電解質層形成部６２１は、第２集電体２１０および第２活物質層２２０と接して、第２固体電解質層２３０を形成する。
【０３３８】
第２電極側切断部６２２は、第２固体電解質層２３０とともに第２集電体２１０を切断することで、第２固体電解質層２３０の形成範囲を、第２集電体２１０と同じ範囲とする。
【０３３９】
図３０は、実施の形態６における電池製造方法の変形例を示すフローチャートである。
【０３４０】
図３０に示される電池製造方法は、実施の形態６における電池製造装置６１００を用いた電池製造方法である。例えば、図３０に示される電池製造方法は、実施の形態６における電池製造装置６１００において実行される電池製造方法である。
【０３４１】
図３０に示される電池製造方法においては、第１固体電解質層形成工程Ｓ１１２０（＝工程（ａ２））は、第１固体電解質層形成工程Ｓ１１２１（＝工程（ａ２１））と、第１電極側切断工程Ｓ１１２２（＝工程（ａ２２））と、を包含する。
【０３４２】
第１固体電解質層形成工程Ｓ１１２１は、第１固体電解質層形成部６１１により、第１集電体１１０および第１活物質層１２０と接して、第１固体電解質層１３０を形成する工程である。
【０３４３】
第１電極側切断工程Ｓ１１２２は、第１電極側切断部６１２により、第１固体電解質層１３０とともに第１集電体１１０を切断することで、第１固体電解質層１３０の形成範囲を、第１集電体１１０と同じ範囲とする工程である。第１電極側切断工程Ｓ１１２２は、第１固体電解質層形成工程Ｓ１１２１の後に、実行される工程である。
【０３４４】
以上の製造装置または製造方法によれば、切断による簡易な工程により、第１固体電解質層１３０と第１集電体１１０とを同じ形成範囲とすることができる。これにより、電池の製造工程を、より簡便化かつ低コスト化できる。
【０３４５】
なお、実施の形態６における電池製造装置６１００においては、第１電極層形成部６１０は、第１活物質層形成部６１３を備えてもよい。第１活物質層形成部６１３は、第１活物質層１２０を形成する。すなわち、第１活物質層形成工程Ｓ１１１０においては、第１活物質層形成部６１３により、第１活物質層１２０が形成されてもよい。
【０３４６】
また、実施の形態６における電池製造装置６１００においては、第２電極層形成部６２０は、第２活物質層形成部６２３を備えてもよい。第２活物質層形成部６２３は、第２活物質層２２０を形成する。すなわち、第２活物質層形成工程Ｓ１２１０においては、第２活物質層形成部６２３により、第２活物質層２２０が形成されてもよい。
【０３４７】
図３１は、第１固体電解質層形成工程Ｓ１１２１と第１電極側切断工程Ｓ１１２２の一例を示す図である。
【０３４８】
第１活物質層１２０が形成された第１集電体１１０の上に、第１固体電解質層１３０が形成される。例えば、固体電解質（および、他の材料）を所定の溶媒と共に練り込んだペースト状の塗料を、塗工装置などにより、第１活物質層１２０と第１集電体１１０の上に塗工する（さらに、乾燥させてもよい）。このとき、第１集電体１１０よりも狭い範囲に、第１固体電解質層１３０は形成される（第１固体電解質層形成工程Ｓ１１２１）。
【０３４９】
第１固体電解質層１３０が形成された第１集電体１１０が、切断装置などを用いて、切断される。第１固体電解質層１３０とともに第１集電体１１０が切断される（例えば、Ｃ１１およびＣ１２の位置が切断される）。これにより、第１固体電解質層１３０の形成範囲は、第１集電体１１０と同じ範囲となる（第１電極側切断工程Ｓ１１２２）。これにより、第１電極層１００（例えば、電極板）が作製される。
【０３５０】
なお、第１電極側切断工程Ｓ１１２２においては、第１集電体１１０と第１固体電解質層１３０とを同時に打ち抜くことで、切断が行われてもよい。このとき、第１集電体１１０と第１固体電解質層１３０の四方の端が、同時に切断されてもよい。
【０３５１】
なお、第１電極側切断工程Ｓ１１２２においては、第１電極層１００の主面の面積および形状が、第２電極層２００の主面の面積および形状と同じとなるように、切断が行われてもよい。
【０３５２】
また、図３０に示される電池製造方法においては、第２固体電解質層形成工程Ｓ１２２０（＝工程（ｂ２））は、第２固体電解質層形成工程Ｓ１２２１（＝工程（ｂ２１））と、第２電極側切断工程Ｓ１２２２（＝工程（ｂ２２））と、を包含する。
【０３５３】
第２固体電解質層形成工程Ｓ１２２１は、第２固体電解質層形成部６２１により、第２集電体２１０および第２活物質層２２０と接して、第２固体電解質層２３０を形成する工程である。
【０３５４】
第２電極側切断工程Ｓ１２２２は、第２電極側切断部６２２により、第２固体電解質層２３０とともに第２集電体２１０を切断することで、第２固体電解質層２３０の形成範囲を、第２集電体２１０と同じ範囲とする工程である。第２電極側切断工程Ｓ１２２２は、第２固体電解質層形成工程Ｓ１２２１の後に、実行される工程である。
【０３５５】
以上の構成によれば、切断による簡易な工程により、第２固体電解質層２３０と第２集電体２１０とを同じ形成範囲とすることができる。これにより、電池の製造工程を、より簡便化かつ低コスト化できる。
【０３５６】
図３２は、第２固体電解質層形成工程Ｓ１２２１と第２電極側切断工程Ｓ１２２２の一例を示す図である。
【０３５７】
第２活物質層２２０が形成された第２集電体２１０の上に、第２固体電解質層２３０が形成される。例えば、固体電解質（および、他の材料）を所定の溶媒と共に練り込んだペースト状の塗料を、塗工装置などにより、第２活物質層２２０と第２集電体２１０の上に塗工する（さらに、乾燥させてもよい）。このとき、第２集電体２１０よりも狭い範囲に、第２固体電解質層２３０は形成される（第２固体電解質層形成工程Ｓ１２２１）。
【０３５８】
第２固体電解質層２３０が形成された第２集電体２１０が、切断装置などを用いて、切断される。第２固体電解質層２３０とともに第２集電体２１０が切断される（例えば、Ｃ２１およびＣ２２の位置が切断される）。これにより、第２固体電解質層２３０の形成範囲は、第２集電体２１０と同じ範囲となる（第２電極側切断工程Ｓ１２２２）。これにより、第２電極層２００（例えば、電極板）が作製される。
【０３５９】
なお、第２電極側切断工程Ｓ１２２２においては、第２集電体２１０と第２固体電解質層２３０とを同時に打ち抜くことで、切断が行われてもよい。このとき、第２集電体２１０と第２固体電解質層２３０の四方の端が、同時に切断されてもよい。
【０３６０】
なお、第２電極側切断工程Ｓ１２２２においては、第２電極層２００の主面の面積および形状が、第１電極層１００の主面の面積および形状と同じとなるように、切断が行われてもよい。
【０３６１】
なお、以上の製造方法においては、第１電極側切断工程Ｓ１１２２において、第１丸み部分１４０の形状（または、第１電極層１００の形状）が上述の実施の形態１から５のいずれかにて示された形状となるように、切断されてもよい。これにより、第１丸み部分１４０を有する第１電極層１００を作製できる。
【０３６２】
また、以上の製造方法においては、第２電極側切断工程Ｓ１２２２において、第２丸み部分２４０の形状（または、第２電極層２００の形状）が上述の実施の形態１から５のいずれかにて示された形状となるように、切断されてもよい。これにより、第２丸み部分２４０を有する第２電極層２００を作製できる。
【０３６３】
また、第３丸み部分３４０を有する第３電極層３００、および、第４丸み部分４４０を有する第４電極層４００も、上記と同様の切断による方法によって、作製されうる。
【０３６４】
また、それぞれの電極層を切断する領域を変えることで、それぞれの電極層の主面の大きさを変えることができる。これにより、それぞれの電極層の丸み部分の形状を互いに同じ形状にできる。これにより、例えば、それぞれの電極層の丸み部分の端部どうしが一致する状態で、それぞれの電極層を積層することができる。もしくは、それぞれの電極層の形状を互いに同じ形状にできる。これにより、例えば、それぞれの電極層の端部どうしが一致する状態で、それぞれの電極層を積層することができる。
【０３６５】
なお、実施の形態６においては、第１電極層形成部６１０（例えば、第１固体電解質層形成部６１１および第１活物質層形成部６１３）および第２電極層形成部６２０（例えば、第２固体電解質層形成部６２１および第２活物質層形成部６２３）は、それぞれ、例えば、塗工剤（例えば、活物質材料または固体電解質材料など）を吐出する吐出機構（例えば、吐出口）、吐出機構に塗工剤を供給する供給機構（例えば、タンクおよび供給管）、塗工対象などを移動させる移動機構（例えば、ローラー）、加圧圧迫するプレス機構（例えば、プレス台およびシリンダ）、など、を備えてもよい。これらの機構については、一般に公知の装置および部材が、適宜、用いられうる。
【０３６６】
また、実施の形態６においては、第１電極側切断部６１２および第２電極側切断部６２２は、それぞれ、例えば、切断対象を切断する切断機構（例えば、ダイパンチ装置など）、切断対象などを移動させる移動機構（例えば、ローラー）、など、を備えてもよい。これらの機構については、一般に公知の装置および部材が、適宜、用いられうる。
【０３６７】
また、実施の形態６においては、積層部６３０は、積層対象である第１電極層１００と第２電極層２００とを搬送する搬送機構（例えば、ローラー）、など、を備えてもよい。これらの機構については、一般に公知の装置および部材が、適宜、用いられうる。
【０３６８】
また、実施の形態６においては、プレス部６４０は、第１電極層１００と第２電極層２００との積層体を加圧圧迫するプレス機構（例えば、プレス台およびシリンダ）、プレス対象である第１電極層１００と第２電極層２００とを移動させる移動機構（例えば、ローラー）、など、を備えてもよい。これらの機構については、一般に公知の装置および部材が、適宜、用いられうる。
【０３６９】
また、実施の形態６における電池製造装置は、制御部６５０を、さらに備えてもよい。制御部６５０は、第１電極層形成部６１０（例えば、第１固体電解質層形成部６１１と、第１電極側切断部６１２）と、第２電極層形成部６２０（例えば、第２固体電解質層形成部６２１と、第２電極側切断部６２２）と、積層部６３０と、プレス部６４０との動作を制御する。
【０３７０】
制御部６５０は、例えば、プロセッサとメモリとにより、構成されてもよい。当該プロセッサは、例えば、ＣＰＵ（Ｃｅｎｔｒａｌ  Ｐｒｏｃｅｓｓｉｎｇ  Ｕｎｉｔ）またはＭＰＵ（Ｍｉｃｒｏ−Ｐｒｏｃｅｓｓｉｎｇ  Ｕｎｉｔ）などであってもよい。このとき、当該プロセッサは、メモリに記憶されているプログラムを読み出して実行することで、本開示で示される制御方法（電池製造方法）を実行してもよい。
【０３７１】
（実施の形態７）
以下、実施の形態７が説明される。上述の実施の形態１から６のいずれかと重複する説明は、適宜、省略される。
【０３７２】
図３３は、実施の形態７における電池製造装置７０００の概略構成を示す図である。
【０３７３】
実施の形態７における電池製造装置７０００は、第１電極層形成部７１０と、第２電極層形成部７２０と、積層部７３０と、切断部７６０と、を備える。
【０３７４】
第１電極層形成部７１０は、第１電極層１００を形成する。
【０３７５】
第１電極層形成部７１０は、第１集電体１１０と接して、第１集電体１１０よりも狭い範囲に、第１活物質層１２０を形成する。
【０３７６】
第１電極層形成部７１０は、第１集電体１１０および第１活物質層１２０と接して、第１固体電解質層１３０を形成する。
【０３７７】
第２電極層形成部７２０は、第２電極層２００を形成する。
【０３７８】
第２電極層形成部７２０は、第２集電体２１０と接して、第２集電体２１０よりも狭い範囲に、第２活物質層２２０を形成する。
【０３７９】
第２電極層形成部７２０は、第２集電体２１０および第２活物質層２２０と接して、第２固体電解質層２３０を形成する。
【０３８０】
積層部７３０は、第１電極層１００と第２電極層２００とを互いに積層する。これにより、積層部７３０は、第１活物質層１２０を、第１固体電解質層１３０と第２固体電解質層２３０とを介して、第２活物質層２２０と対向させる。
【０３８１】
切断部７６０は、第１固体電解質層１３０と第２固体電解質層２３０とともに第１集電体１１０と第２集電体２１０とを切断する。これにより、切断部７６０は、第１固体電解質層１３０の形成範囲を第１集電体１１０と同じ範囲とし、かつ、第２固体電解質層２３０の形成範囲を前記第２集電体２１０と同じ範囲とする。
【０３８２】
図３４は、実施の形態７における電池製造方法を示すフローチャートである。
【０３８３】
実施の形態７における電池製造方法は、実施の形態７における電池製造装置７０００を用いた電池製造方法である。例えば、実施の形態７における電池製造方法は、実施の形態７における電池製造装置７０００において実行される電池製造方法である。
【０３８４】
実施の形態７における電池製造方法は、第１活物質層形成工程Ｓ２１１０（＝工程（ｅ１））と、第１固体電解質層形成工程Ｓ２１２０（＝工程（ｅ２））と、第２活物質層形成工程Ｓ２２１０（＝工程（ｆ１））と、第２固体電解質層形成工程Ｓ２２２０（＝工程（ｆ２））と、積層工程Ｓ２３１０（＝工程（ｇ））と、切断工程Ｓ２５１０（＝工程（ｈ））と、を包含する。
【０３８５】
第１活物質層形成工程Ｓ２１１０は、第１電極層形成部７１０により、第１集電体１１０と接して、第１集電体１１０よりも狭い範囲に、第１活物質層１２０を形成する工程である。
【０３８６】
第１固体電解質層形成工程Ｓ２１２０は、第１電極層形成部７１０により、第１集電体１１０および第１活物質層１２０と接して、第１固体電解質層１３０を形成する工程である。第１固体電解質層形成工程Ｓ２１２０は、第１活物質層形成工程Ｓ２１１０の後に、実行される工程である。
【０３８７】
第２活物質層形成工程Ｓ２２１０は、第２電極層形成部７２０により、第２集電体２１０と接して、第２集電体２１０よりも狭い範囲に、第２活物質層２２０を形成する工程である。
【０３８８】
第２固体電解質層形成工程Ｓ２２２０は、第２電極層形成部７２０により、第２集電体２１０および第２活物質層２２０と接して、第２固体電解質層２３０を形成する工程である。第２固体電解質層形成工程Ｓ２２２０は、第２活物質層形成工程Ｓ２２１０の後に、実行される工程である。
【０３８９】
積層工程Ｓ２３１０は、積層部７３０により、第１電極層１００と第２電極層２００とを互いに積層して、第１活物質層１２０を、第１固体電解質層１３０と第２固体電解質層２３０とを介して、第２活物質層２２０と対向させる工程である。積層工程Ｓ２３１０は、第１固体電解質層形成工程Ｓ２１２０および第２固体電解質層形成工程Ｓ２２２０の後に、実行される工程である。
【０３９０】
切断工程Ｓ２５１０は、切断部７６０により、第１固体電解質層１３０と第２固体電解質層２３０とともに第１集電体１１０と第２集電体２１０とを切断することで、第１固体電解質層１３０の形成範囲を第１集電体１１０と同じ範囲とし、かつ、第２固体電解質層２３０の形成範囲を第２集電体２１０と同じ範囲とする工程である。切断工程Ｓ２５１０は、積層工程Ｓ２３１０の後に、実行される工程である。
【０３９１】
以上の製造装置または製造方法によれば、第１電極層１００と第２電極層２００とを積層した後に、切断を実行することで、第１電極層１００と第２電極層２００との位置合わせが、より容易となる。また、例えば、第１集電体１１０と第１固体電解質層１３０と第２集電体２１０と第２固体電解質層２３０とを、同時に切断することができる。このため、第１集電体１１０と第１固体電解質層１３０と第２集電体２１０と第２固体電解質層２３０とを、互いに同じ形成範囲とすることができる。これにより、第１集電体１１０と第２集電体２１０との位置の安定性をより高め、かつ、第１集電体１１０と第２集電体２１０との接触の可能性をより低減できる。
【０３９２】
さらに、以上の製造装置または製造方法によれば、第１集電体１１０と第２集電体２１０とが接触する可能性を低減できる。すなわち、第１集電体１１０と第２集電体２１０との対向部分が、第１固体電解質層１３０と第２固体電解質層２３０とにより、固定化できる。例えば、第１集電体１１０と第２集電体２１０とが薄膜で構成されていても、第１固体電解質層１３０と第２固体電解質層２３０とにより、第１集電体１１０と第２集電体２１０との間隔を、一定の距離以上（例えば、第１固体電解質層１３０と第２固体電解質層２３０との厚み以上）に、維持できる。したがって、第１集電体１１０と第２集電体２１０とが、互いに近接することを回避できる。これにより、例えば、電池セルを複数積層する場合であっても、第１集電体１１０と第２集電体２１０の変形を防止できる。したがって、例えば、電池セルを複数積層する場合であっても、第１集電体１１０と第２集電体２１０との間の短絡を防止できる。また、例えば、第１電極層１００と第２電極層２００との間にセパレータを備えない全固体電池においても、第１集電体１１０と第２集電体２１０とが直接接触して短絡するリスクを低減できる。
【０３９３】
さらに、以上の製造装置または製造方法によれば、第１電極層１００と第２電極層２００とを絶縁するための別部材（例えば、絶縁スペーサー）が不要となる。これにより、電池の製造工程を、より簡便化かつ低コスト化できる。
【０３９４】
さらに、以上の製造装置または製造方法によれば、第１固体電解質層１３０と第２固体電解質層２３０とが接合してなる固体電解質層を備えることで、例えば製造時において第１固体電解質層１３０と第２固体電解質層２３０とに生じうるピンホールによる短絡の可能性を、低減することができる。
【０３９５】
さらに、以上の製造装置または製造方法によれば、切断による簡易な工程により、第１集電体１１０と第１固体電解質層１３０と第２集電体２１０と第２固体電解質層２３０とを、互いに同じ形成範囲とすることができる。これにより、電池の製造工程を、より簡便化かつ低コスト化できる。
【０３９６】
なお、以上の製造方法においては、切断工程Ｓ２５１０において、それぞれの電極層の丸み部分の形状（または、それぞれの電極層の形状）が上述の実施の形態１から５のいずれかにて示された形状となるように、切断されてもよい。これにより、丸み部分を有する電極層が積層されてなる積層電池を作製できる。
【０３９７】
また、第３丸み部分３４０を有する第３電極層３００、および、第４丸み部分４４０を有する第４電極層４００も、上記と同様の切断による方法によって、作製されうる。
【０３９８】
また、切断工程Ｓ２５１０によれば、それぞれの電極層の丸み部分の形状を互いに同じ形状にできる。これにより、例えば、それぞれの電極層の丸み部分の端部どうしが一致する状態で、それぞれの電極層を積層することができる。もしくは、切断工程Ｓ２５１０によれば、それぞれの電極層の形状を互いに同じ形状にできる。これにより、例えば、それぞれの電極層の端部どうしが一致する状態で、それぞれの電極層を積層することができる。
【０３９９】
なお、実施の形態７における電池製造装置７０００においては、第２電極層形成部７２０は、第１活物質層１２０を、第２活物質層２２０よりも広い範囲に、形成してもよい。このとき、積層部７３０は、第２活物質層２２０を、第１活物質層１２０の形成範囲内に、配置してもよい。
【０４００】
言い換えれば、実施の形態７における電池製造方法においては、第２活物質層形成工程Ｓ２２１０において、第２電極層形成部７２０により、第２活物質層２２０は、第１活物質層１２０よりも狭い範囲に、形成されてもよい。
【０４０１】
このとき、積層工程Ｓ２３１０において、積層部７３０により、第１活物質層１２０は、第２活物質層２２０の形成範囲外に、配置されてもよい。
【０４０２】
以上の構成によれば、第１活物質層１２０における金属（例えば、リチウム）の析出を、抑制できる。このため、金属の析出に起因する、第１電極層１００と第２電極層２００との間の短絡を防止できる。
【０４０３】
なお、実施の形態７においては、図３４に示されるように、第２活物質層形成工程Ｓ２２１０と第２固体電解質層形成工程Ｓ２２２０とは、第１活物質層形成工程Ｓ２１１０と第１固体電解質層形成工程Ｓ２１２０よりも後に、実行されてもよい。
【０４０４】
もしくは、第２活物質層形成工程Ｓ２２１０と第２固体電解質層形成工程Ｓ２２２０とは、第１活物質層形成工程Ｓ２１１０と第１固体電解質層形成工程Ｓ２１２０よりも前に、実行されてもよい。
【０４０５】
もしくは、第２活物質層形成工程Ｓ２２１０と第２固体電解質層形成工程Ｓ２２２０とは、第１活物質層形成工程Ｓ２１１０と第１固体電解質層形成工程Ｓ２１２０と同時並行して、実行されてもよい。
【０４０６】
以下に、実施の形態７における電池製造方法の具体的な一例が、説明される。
【０４０７】
図３５は、第１活物質層形成工程Ｓ２１１０と第１固体電解質層形成工程Ｓ２１２０の一例を示す図である。
【０４０８】
予め準備された第１集電体１１０の上に、第１活物質層１２０が形成される。例えば、活物質（および、他の材料）を所定の溶媒と共に練り込んだペースト状の塗料を、塗工装置などにより、第１集電体１１０の上に塗工する（さらに、乾燥させてもよい）。このとき、第１集電体１１０と接して、第１集電体１１０よりも狭い範囲に、第１活物質層１２０は形成される（第１活物質層形成工程Ｓ２１１０）。これにより、第１集電体１１０の上に、第１集電体１１０が周囲に露出するように、第１活物質層１２０が形成される。
【０４０９】
第１活物質層１２０が形成された第１集電体１１０の上に、第１固体電解質層１３０が形成される。例えば、固体電解質（および、他の材料）を所定の溶媒と共に練り込んだペースト状の塗料を、塗工装置などにより、第１活物質層１２０と第１集電体１１０の上に塗工する（さらに、乾燥させてもよい）。このとき、第１集電体１１０よりも狭い範囲に、第１固体電解質層１３０は形成される（第１固体電解質層形成工程Ｓ２１２０）。これにより、露出した第１集電体１１０の上に、第１活物質層１２０を覆いながら、第１固体電解質層１３０が形成される。これにより、第１電極層１００（例えば、電極板）が作製される。
【０４１０】
図３６は、第２活物質層形成工程Ｓ２２１０と第２固体電解質層形成工程Ｓ２２２０の一例を示す図である。
【０４１１】
予め準備された第２集電体２１０の上に、第２活物質層２２０が形成される。例えば、活物質（および、他の材料）を所定の溶媒と共に練り込んだペースト状の塗料を、塗工装置などにより、第２集電体２１０の上に塗工する（さらに、乾燥させてもよい）。このとき、第２集電体２１０と接して、第２集電体２１０よりも狭い範囲に、第２活物質層２２０は形成される（第２活物質層形成工程Ｓ２２１０）。これにより、第２集電体２１０の上に、第２集電体２１０が周囲に露出するように、第２活物質層２２０が形成される。なお、図３６に示される例では、第２活物質層２２０は、第１活物質層１２０よりも広い範囲に（すなわち、第１活物質層１２０の形成面積よりも大きな面積で）、形成される。
【０４１２】
第２活物質層２２０が形成された第２集電体２１０の上に、第２固体電解質層２３０が形成される。例えば、固体電解質（および、他の材料）を所定の溶媒と共に練り込んだペースト状の塗料を、塗工装置などにより、第２活物質層２２０と第２集電体２１０の上に塗工する（さらに、乾燥させてもよい）。このとき、第２集電体２１０よりも狭い範囲に、第２固体電解質層２３０は形成される（第２固体電解質層形成工程Ｓ２２２０）。これにより、露出した第２集電体２１０の上に、第２活物質層２２０を覆いながら、第２固体電解質層２３０が形成される。これにより、第２電極層２００（例えば、電極板）が作製される。
【０４１３】
図３７は、積層工程Ｓ２３１０の一例を示す図である。
【０４１４】
それぞれ作製された第１電極層１００と第２電極層２００とを、搬送装置などを用いて、互いに、対向させて位置させる。その後、それらを接触させることで、第１電極層１００と第２電極層２００とを積層する。これにより、第１活物質層１２０は、第１固体電解質層１３０と第２固体電解質層２３０とを介して、第２活物質層２２０と対向する（積層工程Ｓ２３１０）。
【０４１５】
図３８は、切断工程Ｓ２５１０の一例を示す図である。
【０４１６】
第１電極層１００と第２電極層２００との積層体が、切断装置などを用いて、切断される。第１固体電解質層１３０と第２固体電解質層２３０とともに第１集電体１１０と第２集電体２１０とが切断される（例えば、Ｃ３１およびＣ３２の位置が切断される）。これにより、第１固体電解質層１３０の形成範囲は第１集電体１１０と同じ範囲となり、かつ、第２固体電解質層２３０の形成範囲は第２集電体２１０と同じ範囲となる（切断工程Ｓ２５１０）。
【０４１７】
第１固体電解質層１３０と第２固体電解質層２３０との接触部分は、乾燥工程または圧接工程などにより、接合されうる。
【０４１８】
なお、切断工程Ｓ２５１０においては、第１集電体１１０と第１固体電解質層１３０と第２集電体２１０と第２固体電解質層２３０とを同時に打ち抜くことで、切断が行われてもよい。このとき、第１集電体１１０と第１固体電解質層１３０と第２集電体２１０と第２固体電解質層２３０の四方の端が、同時に切断されてもよい。
【０４１９】
なお、積層工程Ｓ２３１０においては、第１固体電解質層１３０の主面の全領域と第２固体電解質層２３０の主面の全領域とが、互いに接触されてもよい（その後、接合されてもよい）。もしくは、第１固体電解質層１３０の主面の一部の領域（例えば、主面の半分以上の領域）と第２固体電解質層２３０の主面の一部の領域（例えば、主面の半分以上の領域）とが、互いに接触されてもよい（その後、接合されてもよい）。
【０４２０】
図３９は、実施の形態７における電池製造方法の変形例を示すフローチャートである。
【０４２１】
実施の形態７においては、図３３に示されるように、電池製造装置７０００は、プレス部７４０を、さらに備えてもよい。
【０４２２】
プレス部７４０は、互いに積層された第１電極層１００と第２電極層２００とをプレスすることで、第１固体電解質層１３０と第２固体電解質層２３０とを接合する。
【０４２３】
言い換えれば、実施の形態７における電池製造方法は、図３９に示されるように、プレス工程Ｓ２４１０（＝工程（ｐ））を、さらに包含してもよい。
【０４２４】
プレス工程Ｓ２４１０は、プレス部７４０により、互いに積層された第１電極層１００と第２電極層２００とをプレスすることで、第１固体電解質層１３０と第２固体電解質層２３０とを接合する（圧接する）工程である。
【０４２５】
以上の製造装置または製造方法によれば、第１固体電解質層１３０と第２固体電解質層２３０とが圧接されることで、第１固体電解質層１３０と第２固体電解質層２３０との間の接合を、より強固とすることができる。また、第１固体電解質層１３０と第２固体電解質層２３０とに生じうるピンホールによる短絡の可能性を、より低減することができる。
【０４２６】
なお、実施の形態７における電池製造方法においては、図３９に示されるように、切断工程Ｓ２５１０は、プレス工程Ｓ２４１０の後に、実行されてもよい。
【０４２７】
以上の構成によれば、プレス工程により第１固体電解質層１３０と第２固体電解質層２３０とが広がる場合でも、その後に実行される切断工程により第１固体電解質層１３０と第２固体電解質層２３０との広がり（余剰部分）を除去できる。このため、第１集電体１１０と第１固体電解質層１３０と第２集電体２１０と第２固体電解質層２３０とを、互いに同じ形成範囲とすることができる。これにより、第１集電体１１０と第２集電体２１０との位置の安定性をより高め、かつ、第１集電体１１０と第２集電体２１０との接触の可能性をより低減できる。
【０４２８】
なお、実施の形態７においては、第１電極層形成部７１０および第２電極層形成部７２０は、それぞれ、例えば、塗工剤（例えば、活物質材料または固体電解質材料など）を吐出する吐出機構（例えば、吐出口）、吐出機構に塗工剤を供給する供給機構（例えば、タンクおよび供給管）、塗工対象などを移動させる移動機構（例えば、ローラー）、加圧圧迫するプレス機構（例えば、プレス台およびシリンダ）、など、を備えてもよい。これらの機構については、一般に公知の装置および部材が、適宜、用いられうる。
【０４２９】
また、実施の形態７においては、積層部７３０は、積層対象である第１電極層１００と第２電極層２００とを搬送する搬送機構（例えば、ローラー）、など、を備えてもよい。これらの機構については、一般に公知の装置および部材が、適宜、用いられうる。
【０４３０】
また、実施の形態７においては、プレス部７４０は、第１電極層１００と第２電極層２００との積層体を加圧圧迫するプレス機構（例えば、プレス台およびシリンダ）、プレス対象である第１電極層１００と第２電極層２００とを移動させる移動機構（例えば、ローラー）、など、を備えてもよい。これらの機構については、一般に公知の装置および部材が、適宜、用いられうる。
【０４３１】
また、実施の形態７においては、切断部７６０は、例えば、切断対象を切断する切断機構（例えば、ダイパンチ装置など）、切断対象などを移動させる移動機構（例えば、ローラー）、など、を備えてもよい。これらの機構については、一般に公知の装置および部材が、適宜、用いられうる。
【０４３２】
また、実施の形態７における電池製造装置７０００は、制御部７５０を、さらに備えてもよい。
【０４３３】
制御部７５０は、第１電極層形成部７１０と、第２電極層形成部７２０と、積層部７３０と、プレス部７４０と、切断部７６０との動作を制御する。
【０４３４】
制御部７５０は、例えば、プロセッサとメモリとにより、構成されてもよい。当該プロセッサは、例えば、ＣＰＵ（Ｃｅｎｔｒａｌ  Ｐｒｏｃｅｓｓｉｎｇ  Ｕｎｉｔ）またはＭＰＵ（Ｍｉｃｒｏ−Ｐｒｏｃｅｓｓｉｎｇ  Ｕｎｉｔ）などであってもよい。このとき、当該プロセッサは、メモリに記憶されているプログラムを読み出して実行することで、本開示で示される制御方法（電池製造方法）を実行してもよい。
【０４３５】
なお、実施の形態６および７においては、第１電極層１００または第２電極層２００を形成する工程においては、活物質を溶剤に溶解（または、分散させた結着剤を混合）して、スラリーを作製する工程を包含してもよい。なお、スラリー中には、固体電解質または導電助剤が混合されてもよい。このとき、第１電極層１００または第２電極層２００を形成する工程は、ドクターブレード法、ロールコーター法、バーコーター法、カレンダー印刷法、スクリーン印刷法、など、の公知の塗工方法が用いられうる。
【０４３６】
また、実施の形態６および７においては、固体電解質層を形成する工程においては、固体電解質を溶剤に溶解（または、分散させた結着剤を混合）して、スラリーを作製する工程を包含してもよい。このとき、固体電解質層を形成する工程は、ドクターブレード法、ロールコーター法、バーコーター法、カレンダー印刷法、スクリーン印刷法、など、の公知の塗工方法が用いられうる。
【０４３７】
また、実施の形態６および７においては、切断工程としては、打ち抜く方法（例えば、ダイパンチ）、など、の公知の切断方法が用いられうる。
【０４３８】
また、実施の形態６および７においては、プレス工程（例えば、圧接工程）は、一軸プレス、ロールプレス、冷間等方圧プレス（ＣＩＰ）、熱間等方圧プレス、など、の公知のプレス方法が用いられうる。なお、一軸プレスまたはロールプレスを用いる場合においては、加温工程が実行されてもよい。
【０４３９】
また、実施の形態６および７において、「固体電解質層の形成範囲を、集電体と、同じ範囲とする」とは、「固体電解質層の形成範囲を、集電体と、製造する上で不可避的に生じる誤差を除いて実質的に同じ範囲とする」（例えば、固体電解質層の形状を、製造する上で不可避的に生じる誤差を除いて、集電体と実質的に同じ形状とする）ことを意味する。
【０４４０】
また、実施の形態６および７においては、積層対象となる電極層のうちの一方の固体電解質層を形成しなくてもよい。これにより、実施の形態３における電池を作製できる。
【０４４１】
また、実施の形態６および７においては、積層工程において、積層対象となるそれぞれの電極層の積層面は、調整されてもよい。例えば、集電体どうしを積層することで、実施の形態４における電池４０００が作製されうる。このとき、さらに両側に電極層が積層されることで、実施の形態４における積層電池が作製されうる。
【０４４２】
また、実施の形態６および７においては、活物質層と固体電解質層とが一方の主面に形成された集電体のもう一方の面に対極となる電極層を形成してもよい。これにより、実施の形態５における電池５０００が作製されうる。このとき、さらに両側に電極層が積層されることで、実施の形態５における積層電池が作製されうる。
【０４４３】
なお、本開示においては、第１丸み部分１４０は、「第１丸み部分１４０に最も近接する第１活物質層１２０の角部分のアールよりも、小さいアールが付けられた部分」（すなわち、第１丸み部分１４０に最も近接する第１活物質層１２０の角部分の曲率よりも、大きい曲率が付けられた部分）であってもよい。
【０４４４】
すなわち、例えば、図１などに示される例のように、第１活物質層１２０（例えば、多角形状に形成された活物質層）の角部のうちの第１丸み部分１４０に最も近接する角部分は、９０度以下の角度を有する部分（例えば、直角部分または鋭角部分）であってもよい。このとき、第１丸み部分１４０は、曲線状に切断されてなる部分であってもよい。
【０４４５】
また、例えば、図３などに示される例のように、第１活物質層１２０（例えば、多角形状に形成された活物質層）の角部のうちの第１丸み部分（１４０ａ、１４０ｂ、１４０ｃ、１４０ｄ）のそれぞれに最も近接する角部分は、９０度以下の角度を有する部分（例えば、直角部分または鋭角部分）であってもよい。このとき、第１丸み部分（１４０ａ、１４０ｂ、１４０ｃ、１４０ｄ）のそれぞれは、曲線状に切断されてなる部分であってもよい。
【０４４６】
なお、本開示においては、第１丸み部分１４０は、「第１丸み部分１４０に最も近接する第１活物質層１２０の角部分の角度よりも、大きい角度を有する部分」であってもよい。
【０４４７】
すなわち、例えば、図２などに示される例のように、第１活物質層１２０（例えば、多角形状に形成された活物質層）の角部のうちの第１丸み部分１４０に最も近接する角部分は、９０度以下の角度を有する部分（例えば、直角部分または鋭角部分）であってもよい。このとき、第１丸み部分１４０は、９０度よりも大きい角度（例えば、鈍角）のみを有するように直線状に切断されてなる部分であってもよい。
【０４４８】
また、例えば、図５（ｃ）に示される例のように、第１活物質層１２０（例えば、多角形状に形成された活物質層）の角部のうちの第１丸み部分（１４０ａ、１４０ｂ、１４０ｃ、１４０ｄ）のそれぞれに最も近接する角部分は、９０度以下の角度を有する部分（例えば、直角部分または鋭角部分）であってもよい。このとき、第１丸み部分（１４０ａ、１４０ｂ、１４０ｃ、１４０ｄ）のそれぞれは、９０度よりも大きい角度（例えば、鈍角）のみを有するように直線状に切断されてなる部分であってもよい。
【０４４９】
以上のように、第１丸み部分１４０が「第１丸み部分１４０に最も近接する第１活物質層１２０の角部分のアールよりも、小さいアールが付けられた部分」または「第１丸み部分１４０に最も近接する第１活物質層１２０の角部分の角度よりも、大きい角度を有する部分」であることで、第１集電体１１０よりも狭い範囲内で可能な限り大きい範囲（例えば、多角形状の範囲）に、第１活物質層１２０を配置できる。これにより、電池のエネルギー密度を、より高めることができる。
【０４５０】
なお、本開示においては、第２丸み部分２４０は、「第２丸み部分２４０に最も近接する第２活物質層２２０の角部分のアールよりも、小さいアールが付けられた部分」（すなわち、第２丸み部分２４０に最も近接する第２活物質層２２０の角部分の曲率よりも、大きい曲率が付けられた部分）であってもよい。
【０４５１】
すなわち、例えば、図６に示される例のように、第２活物質層２２０（例えば、多角形状に形成された活物質層）の角部のうちの第２丸み部分２４０に最も近接する角部分は、９０度以下の角度を有する部分（例えば、直角部分または鋭角部分）であってもよい。このとき、第２丸み部分２４０は、曲線状に切断されてなる部分であってもよい。
【０４５２】
また、例えば、図７に示される例のように、第２活物質層２２０（例えば、多角形状に形成された活物質層）の角部のうちの第２丸み部分（２４０ａ、２４０ｂ、２４０ｃ、２４０ｄ）のそれぞれに最も近接する角部分は、９０度以下の角度を有する部分（例えば、直角部分または鋭角部分）であってもよい。このとき、第２丸み部分（２４０ａ、２４０ｂ、２４０ｃ、２４０ｄ）のそれぞれは、曲線状に切断されてなる部分であってもよい。
【０４５３】
なお、本開示においては、第２丸み部分２４０は、「第２丸み部分２４０に最も近接する第２活物質層２２０の角部分の角度よりも、大きい角度を有する部分」であってもよい。
【０４５４】
すなわち、例えば、第２活物質層２２０（例えば、多角形状に形成された活物質層）の角部のうちの第２丸み部分２４０に最も近接する角部分は、９０度以下の角度を有する部分（例えば、直角部分または鋭角部分）であってもよい。このとき、第２丸み部分２４０は、９０度よりも大きい角度（例えば、鈍角）のみを有するように直線状に切断されてなる部分であってもよい。
【０４５５】
また、例えば、第２活物質層２２０（例えば、多角形状に形成された活物質層）の角部のうちの第２丸み部分（２４０ａ、２４０ｂ、２４０ｃ、２４０ｄ）のそれぞれに最も近接する角部分は、９０度以下の角度を有する部分（例えば、直角部分または鋭角部分）であってもよい。このとき、第２丸み部分（２４０ａ、２４０ｂ、２４０ｃ、２４０ｄ）のそれぞれは、９０度よりも大きい角度（例えば、鈍角）のみを有するように直線状に切断されてなる部分であってもよい。
【０４５６】
以上のように、第２丸み部分２４０が「第２丸み部分２４０に最も近接する第２活物質層２２０の角部分のアールよりも、小さいアールが付けられた部分」または「第２丸み部分２４０に最も近接する第２活物質層２２０の角部分の角度よりも、大きい角度を有する部分」であることで、第２集電体２１０よりも狭い範囲内で可能な限り大きい範囲（例えば、多角形状の範囲）に、第２活物質層２２０を配置できる。これにより、電池のエネルギー密度を、より高めることができる。
【産業上の利用可能性】
【０４５７】
本開示の電池は、例えば、全固体リチウム二次電池などとして、利用されうる。
【符号の説明】
【０４５８】
１００    第１電極層
１１０    第１集電体
１２０    第１活物質層
１３０    第１固体電解質層
１４０，１４０ａ，１４０ｂ，１４０ｃ，１４０ｄ    第１丸み部分
２００    第２電極層
２１０    第２集電体
２２０    第２活物質層
２３０    第２固体電解質層
２４０，２４０ａ，２４０ｂ，２４０ｃ，２４０ｄ    第２丸み部分
３００    第３電極層
３１０    第３集電体
３２０    第３活物質層
３３０    第３固体電解質層
３４０    第３丸み部分
４００    第４電極層
４１０    第４集電体
４２０    第４活物質層
４３０    第４固体電解質層
４４０    第４丸み部分
１０００，１１００，１２００，１３００，１４００，１５００，１６００，１７００，２０００，２１００，２２００，２３００，３０００，３１００，３２００，４０００，４１００，４２００，５０００，５１００，５２００    電池
６１０    第１電極層形成部
６１１    第１固体電解質層形成部
６１２    第１電極側切断部
６１３    第１活物質層形成部
６２０    第２電極層形成部
６２１    第２固体電解質層形成部
６２２    第２電極側切断部
６２３    第２活物質層形成部
６３０    積層部
６４０    プレス部
６５０    制御部
６０００，６１００    電池製造装置
７１０    第１電極層形成部
７２０    第２電極層形成部
７３０    積層部
７４０    プレス部
７５０    制御部
７６０    切断部
７０００    電池製造装置
【図１】
2018195573.tif 000003
【図２】
2018195573.tif 000004
【図３】
2018195573.tif 000005
【図４】
2018195573.tif 000006
【図５】
2018195573.tif 000007
【図６】
2018195573.tif 000008
【図７】
2018195573.tif 000009
【図８】
2018195573.tif 000010
【図９】
2018195573.tif 000011
【図１０】
2018195573.tif 000012
【図１１】
2018195573.tif 000013
【図１２】
2018195573.tif 000014
【図１３】
2018195573.tif 000015
【図１４】
2018195573.tif 000016
【図１５】
2018195573.tif 000017
【図１６】
2018195573.tif 000018
【図１７】
2018195573.tif 000019
【図１８】
2018195573.tif 000020
【図１９】
2018195573.tif 000021
【図２０】
2018195573.tif 000022
【図２１】
2018195573.tif 000023
【図２２】
2018195573.tif 000024
【図２３】
2018195573.tif 000025
【図２４】
2018195573.tif 000026
【図２５】
2018195573.tif 000027
【図２６】
2018195573.tif 000028
【図２７】
2018195573.tif 000029
【図２８】
2018195573.tif 000030
【図２９】
2018195573.tif 000031
【図３０】
2018195573.tif 000032
【図３１】
2018195573.tif 000033
【図３２】
2018195573.tif 000034
【図３３】
2018195573.tif 000035
【図３４】
2018195573.tif 000036
【図３５】
2018195573.tif 000037
【図３６】
2018195573.tif 000038
【図３７】
2018195573.tif 000039
【図３８】
2018195573.tif 000040
【図３９】
2018195573.tif 000041